(57)【要約】  【課題】大当り遊技状態の態様及び大当り遊技状態終了後の遊技状態の態様の何れにも、遊技者の意思を介入させることが出来ると共に、遊技球の通過により遊技者の意思を介入させるための第１及び第２所定領域を確実に機能させることが可能な弾球遊技機を提供する。  【解決手段】利得種別変更手段は、所定条件の成立に基づいて、獲得利得の種別を大当り遊技状態から時短遊技状態、または時短遊技状態から大当り遊技状態に変更し、条件装置作動後に振分装置６に入球した遊技球が第１ゲート１８或いは第２ゲート１９の何れかを通過したときに役物連続作動装置が作動し、利得種別変更手段により変更された獲得利得と、第１ゲート１８或いは第２ゲート１９の内の何れを遊技球が通過したかに基づいて、複数種類のラウンド数を実行する大当り遊技状態の内の何れかを選択、或いは複数種類の時短回数を実行する時短遊技状態の内の何れかを選択する。【選択図】    図１７
2014147605.tif 000002
【特許請求の範囲】
【請求項１】
遊技を統括制御する主制御手段と、
遊技球が流下する遊技領域と、を備え、
該遊技領域には、始動口と、開放することで前記遊技球の入球が可能となると共に該入球に基づいて遊技者に利益を供与する大入賞口が設けられ、
前記主制御手段は、
前記始動口への入球に起因して抽出した数値データに基づいて大当りとするか否かの当否判定を実行する当否判定手段と、
前記当否判定の結果が大当りとなったことに基づいて条件装置を作動する条件装置作動手段と、
前記条件装置が作動した後で役物連続作動装置が作動したことに基づいて前記大入賞口を複数回だけ開放して予め定められた所定利益を遊技者に供与する大当り遊技状態とする大当り遊技制御手段と、
前記大当り遊技状態の終了後に通常遊技状態よりも遊技者に有利な有利遊技状態に移行すると共に該有利遊技状態を予め定められた所定期間だけ実行する有利遊技状態制御手段と、を備えた弾球遊技機において、
前記遊技領域は、振分装置を更に設け、
該振分装置は、
前記遊技領域から遊技球を取込む取込口と、
前記取り込んだ遊技球が通過可能であると共に前記遊技球の通過に基づいて決定される獲得利得の利得態様に係る選択率が各々異なる第１所定領域と第２所定領域と、
前記遊技球を第１所定領域或いは第２所定領域に振り分ける振分手段と、を具備してなり、
前記大当り遊技状態は、前記所定利益の異なる複数種類の大当り遊技状態を備え、
前記有利遊技状態は、前記所定期間の異なる複数種類の有利遊技状態を備え、
前記獲得利得は、前記大当り遊技状態或いは前記有利遊技状態であって、
前記主制御手段は、
所定条件の成立に基づいて、前記第１所定領域或いは第２所定領域を遊技球が通過したことにより前記利得態様が決定される前記獲得利得の種別を前記大当り遊技状態から前記有利遊技状態に、或いは前記有利遊技状態から前記大当り遊技状態に、変更する利得種別変更手段と、
前記条件装置が作動した後で前記振分装置に取り込まれた遊技球が前記振分手段により振り分けられて前記第１所定領域或いは第２所定領域の何れかを通過したときに前記役物連続作動装置を作動させる役物連続作動手段と、を備え、
前記利得種別変更手段により変更された獲得利得と、前記第１所定領域或いは第２所定領域の内の何れを遊技球が通過したかに基づいて、前記複数種類の大当り遊技状態の内の何れかの大当り遊技状態を選択、或いは前記複数種類の有利遊技状態の内の何れかの有利遊技状態を選択する、ことを特徴とする弾球遊技機。
【請求項２】
請求項１に記載の弾球遊技機において、
計時手段を更に備え、
前記所定条件の成立は、前記計時手段によって所定時間が経過したと計時されたことであり、
前記利得種別変更手段は、
前記所定時間が経過したことに基づいて前記第１所定領域或いは第２所定領域を遊技球が通過したことにより決定される前記獲得利得の種別を前記有利遊技状態から前記大当り遊技状態に変更する、ことを特徴とする弾球遊技機。
【請求項３】
請求項１に記載の弾球遊技機において、
前記所定条件の成立は、遊技状態が予め定められた特定の遊技状態となったことである、ことを特徴とする弾球遊技機。
【請求項４】
遊技を統括制御する主制御手段と、
遊技球が流下する遊技領域と、を備え、
該遊技領域には、始動口と、開放することで前記遊技球の入球が可能となると共に該入球に基づいて遊技者に利益を供与する大入賞口が設けられ、
前記主制御手段は、
前記始動口への入球に起因して抽出した数値データに基づいて大当りとするか否かの当否判定を実行する当否判定手段と、
前記当否判定の結果が大当りとなったことに基づいて条件装置を作動する条件装置作動手段と、
前記条件装置が作動した後で役物連続作動装置が作動したことに基づいて前記大入賞口を複数回だけ開放して予め定められた所定利益を遊技者に供与する大当り遊技状態とする大当り遊技制御手段と、
前記大当り遊技状態の終了後に通常遊技状態よりも遊技者に有利な有利遊技状態に移行すると共に該有利遊技状態を予め定められた所定期間だけ実行する有利遊技状態制御手段と、を備えた弾球遊技機において、
前記遊技領域は、振分装置を更に設け、
該振分装置は、
前記遊技領域から遊技球を取込む取込口と、
前記取り込んだ遊技球が通過可能であると共に前記遊技球の通過に基づいて決定される獲得利得の利得態様に係る選択率が各々異なる第１所定領域と第２所定領域と、
前記遊技球を第１所定領域或いは第２所定領域に振り分ける振分手段と、を具備してなり、
前記大当り遊技状態は、前記所定利益の異なる複数種類の大当り遊技状態を備え、
前記有利遊技状態は、前記所定期間の異なる複数種類の有利遊技状態を備え、
前記獲得利得は、前記大当り遊技状態或いは前記有利遊技状態であって、
前記主制御手段は、
所定条件の成立に基づいて、前記第１所定領域或いは第２所定領域を遊技球が通過したことにより前記利得態様が決定される前記獲得利得の種別を前記大当り遊技状態から前記有利遊技状態に、或いは前記有利遊技状態から前記大当り遊技状態に、変更する利得種別変更手段と、
前記条件装置が作動した後で前記振分装置に取り込まれた遊技球が前記振分手段により振り分けられて前記第１所定領域或いは第２所定領域の何れかを通過したときに前記役物連続作動装置を作動させる役物連続作動手段と、を備え、
前記利得種別変更手段により変更された獲得利得と、前記第１所定領域或いは第２所定領域の内の何れを遊技球が通過したかに基づいて、前記複数種類の大当り遊技状態の内の何れかの大当り遊技状態を選択、或いは前記複数種類の有利遊技状態の内の何れかの有利遊技状態を選択し、
遊技者が操作可能であると共に該操作により前記獲得利得の種別を指定可能な操作手段を備え、
前記所定条件の成立は、遊技者による前記操作手段の操作が行われたことである、ことを特徴とする弾球遊技機。
【発明の詳細な説明】
【技術分野】
【０００１】
本発明は、弾球遊技機に関する。
【背景技術】
【０００２】
従来の一般的な弾球遊技機では、遊技者が発射した遊技球が遊技領域に設けられた始動口に入球すると、該入球に起因して当否判定用の数値データ（例えば、乱数値）を取得し、該取得した数値データが特定の値であるか否かの当否判定を実行し、特定の値であった場合には、大入賞口を複数回に亘って開放することにより多くの入賞を可能とする大当り遊技状態が発生するように構成されている。
また、始動口へ入球すると、上述した当否判定用の数値データだけでなく、大当り遊技状態の態様（例えば、開放回数すなわちラウンド数が複数種類設けられている場合に何れのラウンド数とするか等）や、大当り遊技状態終了後の遊技状態の態様（例えば、高確率遊技状態とするか否かや、開放延長状態の継続期間として長短複数種類設けられている場合に何れの継続期間とするか等）を決定するための数値データも併せて取得されるようになっている。
このような各種数値データの取得は、始動口へ入球させるだけで実行され、他に何ら遊技者が関与する余地がない。
そして、上述した各種数値データに基づく、大当り遊技状態が発生するか否かの当否判定の結果、大当り遊技状態の態様、及び大当り遊技状態終了後の遊技状態の態様、等に関する決定結果は、当否判定の結果に対応して選択された特別図柄の確定表示によって報知される。
つまり、従来の一般的な弾球遊技機の構成では、各種数値データの取得から、当否判定や各種遊技状態の態様の決定等を全て弾球遊技機が行ってしまい、遊技者は単に始動口へ入球させるという行為においてのみ関与が許されているに過ぎず、後は特別図柄の確定表示の結果を注視するしかなかった。したがって、始動口への入球後の遊技内容やプロセスに対して、遊技者の意思が介入する余地が無く、単純で面白みに欠けるという問題があった。
【０００３】
これに対して、遊技者の意思が介入する余地を設けた技術として、始動口に遊技球が受け入れられることに基づいて大当たりについての第１抽選を実行し、該第１抽選にて大当たりが当選されたときは、該当選後に通過口を遊技球が通過したことに基づいて、大当たり遊技において獲得可能な最大賞球数（例えば、ラウンド数）についての第２抽選を実行するように構成された遊技機（例えば、特許文献１）が提案されている。
【０００４】
また一方では、リミッター機能を備える遊技機において、確変リミッター到達の１回前の大当り終了後に、次の大当りが最後であることを報知すると共に、一発型の始動口と該一発型の始動口とは離れた位置にある安定型の始動口の何れかの始動口を狙うことが出来る構成であって、一発型の始動口と安定型の始動口は各々、入球に基づいて発生する大当りのラウンド数、及びこれに対応した大当り終了後の時短の継続回数において、それぞれ異なる遊技価値となるよう設定された技術（例えば、特許文献２）も提案されている。
【先行技術文献】
【特許文献】
【０００５】
【特許文献１】特開２０１１−１５２１６１号公報
【特許文献２】特開２００８−２９５９６８号公報
【発明の概要】
【発明が解決しようとする課題】
【０００６】
しかしながら、特許文献１に記載の遊技機では、確かに始動口への入球後に大当たり遊技におけるラウンド数、すなわち大当り遊技状態の態様については、遊技者の意思の介入が可能となったものの、遊技者が関与出来る対象は、大当り遊技状態の態様についてのみ固定されていて、大当り遊技状態終了後の遊技状態の態様にまでは関与出来なかった。従って、遊技者の関与が及ぶ対象が大当り遊技状態の態様に限定されていて、広く遊技の進行に遊技者の意思を介入させるには不十分であった。
またこの点、特許文献２に記載の遊技機であれば、遊技者は所望の遊技価値に対応した何れかの始動口を狙い打つことで、大当り遊技状態の態様に加えて、これに対応して設定された大当り遊技状態終了後の遊技状態の態様の決定にも、遊技者が関与する可能性を有している。
ところが、一発型の始動口と安定型の始動口は、遊技者が何れの始動口へ入球させるかを選択可能に構成されている。ということは、各々がある程度、離隔した位置に設けられることになるため、必然的に個々の入球率に差異が生じる。遊技機において始動口への入球が生起しなければ、大当たり獲得のプロセスは開始されないので、遊技者は所望する遊技価値に対応した始動口の入球率が他方に比較して低い場合には、必然的に遊技価値よりも入球率を優先して、他方の始動口へ入球させることになる。したがって、複数種類の始動口（本発明の第１所定領域及び第２所定領域）の内の入球率の低い側の始動口は、遊技者によって選択されることなく機能せず、結局は遊技者の意思を介入させる対象のバリエーションに欠ける、という問題があった。
本発明は、係る課題に鑑みなされたものであり、大当り遊技状態の態様及び大当り遊技状態終了後の遊技状態の態様の何れか一方に固定されることなく、遊技者の意思を介入させることが出来ると共に、遊技球の通過により遊技者の意思を介入させるための第１所定領域及び第２所定領域を確実に機能させることが可能な弾球遊技機を提供することを目的とする。
【課題を解決するための手段】
【０００７】
上記課題を解決するためになされた請求項１に記載の弾球遊技機は、
遊技を統括制御する主制御手段と、
遊技球が流下する遊技領域と、を備え、
該遊技領域には、始動口と、開放することで前記遊技球の入球が可能となると共に該入球に基づいて遊技者に利益を供与する大入賞口が設けられ、
前記主制御手段は、
前記始動口への入球に起因して抽出した数値データに基づいて大当りとするか否かの当否判定を実行する当否判定手段と、
前記当否判定の結果が大当りとなったことに基づいて条件装置を作動する条件装置作動手段と、
前記条件装置が作動した後で役物連続作動装置が作動したことに基づいて前記大入賞口を複数回だけ開放して予め定められた所定利益を遊技者に供与する大当り遊技状態とする大当り遊技制御手段と、
前記大当り遊技状態の終了後に通常遊技状態よりも遊技者に有利な有利遊技状態に移行すると共に該有利遊技状態を予め定められた所定期間だけ実行する有利遊技状態制御手段と、を備えた弾球遊技機において、
前記遊技領域は、振分装置を更に設け、
該振分装置は、
前記遊技領域から遊技球を取込む取込口と、
前記取り込んだ遊技球が通過可能であると共に前記遊技球の通過に基づいて決定される獲得利得の利得態様に係る選択率が各々異なる第１所定領域と第２所定領域と、
前記遊技球を第１所定領域或いは第２所定領域に振り分ける振分手段と、を具備してなり、
前記大当り遊技状態は、前記所定利益の異なる複数種類の大当り遊技状態を備え、
前記有利遊技状態は、前記所定期間の異なる複数種類の有利遊技状態を備え、
前記獲得利得は、前記大当り遊技状態或いは前記有利遊技状態であって、
前記主制御手段は、
所定条件の成立に基づいて、前記第１所定領域或いは第２所定領域を遊技球が通過したことにより前記利得態様が決定される前記獲得利得の種別を前記大当り遊技状態から前記有利遊技状態に、或いは前記有利遊技状態から前記大当り遊技状態に、変更する利得種別変更手段と、
前記条件装置が作動した後で前記振分装置に取り込まれた遊技球が前記振分手段により振り分けられて前記第１所定領域或いは第２所定領域の何れかを通過したときに前記役物連続作動装置を作動させる役物連続作動手段と、を備え、
前記利得種別変更手段により変更された獲得利得と、前記第１所定領域或いは第２所定領域の内の何れを遊技球が通過したかに基づいて、前記複数種類の大当り遊技状態の内の何れかの大当り遊技状態を選択、或いは前記複数種類の有利遊技状態の内の何れかの有利遊技状態を選択する、
ことを特徴とする。
【０００８】
請求項１に記載の弾球遊技機では、どのタイミングで振分装置に遊技球を入球させれば、振分手段が第１所定領域或いは第２所定領域に振り分けるかを報知する構成が好適である。
このように構成することで、第１所定領域或いは第２所定領域を通過したことにより決定される獲得利得の利得態様について、遊技者は任意の前記利得態様を獲得するために、タイミングを合わせて遊技球を発射させる面白みを抱くことが出来る。
【０００９】
有利遊技状態は、大当り遊技状態の終了後に移行し、且つ通常遊技状態よりも遊技者に有利な有利遊技状態であって、例えば時短遊技状態が望ましい。但し、時短遊技状態に限定することはなく、他の遊技状態であっても良い。すなわち、例えば確変遊技状態（当否抽選の抽選確率が、通常遊技状態時の低確率よりも高い高確率となる遊技状態）であっても良い。このように構成することにより、変動時間が短縮され単位時間当たりの当り易さが向上する時短遊技状態に対して、確変遊技状態とすることで当否抽選毎の抽選確率が向上して大当りへの期待度が飛躍的に上昇するため、遊技者の興趣を一層そそることが出来る。
【００１０】
異なる複数種類の有利遊技状態の所定期間は、特別図柄の予め定められた所定の変動回数に限定せず、例えば、大当り遊技状態終了後からの所定時間であっても良い。これにより、特別図柄の変動表示に係る変動時間に拘束されることなく、変動途中であっても唐突に有利遊技状態が開始及び終了するので、斬新で面白みある遊技となる。
【００１１】
また、獲得利得或いは獲得利得の種別とは、大当り遊技状態或いは時短遊技状態を示唆する。また、獲得利得の利得態様とは、大当り遊技状態におけるラウンド数、或いは時短遊技状態における時短回数を示唆する。すなわち、当否判定の結果が大当りとなったことに起因して遊技者が獲得可能となる、利益有る遊技状態が獲得利得であり、その種別が獲得利得の種別である。また、利得態様によって、その利益有る遊技状態における利益の多寡が決定され、大当り遊技状態であればラウンド数が、時短遊技状態であれば時短回数がこれに相当する。
【００１２】
利得種別変更手段は、条件装置の作動開始から能動化する構成に限らず、例えば条件装置作動に拘わらず常時、利得種別を変更可能な構成としても良い。これにより、遊技者は、大当りとなる前に、予め次の大当りでは何れの利得に関して振分手段による利得態様の決定を行うか、を期待しながら余裕を持って決定しておくことが可能となる。
【００１３】
振分装置制御処理は、利得種別変更期間が終了してから実行するものに限らず、常時一定の動作を反復継続して実行するようにしても良い。このように構成することで、条件装置作動後に最初に実行される振分態様が、左振分態様から開始されたり或いは右振分態様から開始されたりして、常に画一的とならない。また、最初に実行される振分態様の実行時間が常時一定とならず、予め定められた振分時間を実行する場合もあれば、すぐに終了して他方の振分態様となる場合もあり、不確定となる。これらの不確実性によって、遊技は常時変化に富み、面白みが増す。
【００１４】
請求項２に記載の弾球遊技機は、
請求項１に記載の弾球遊技機において、
計時手段を更に備え、
前記所定条件の成立は、前記計時手段によって所定時間が経過したと計時されたことであり、
前記利得種別変更手段は、
前記所定時間が経過したことに基づいて前記第１所定領域或いは第２所定領域を遊技球が通過したことにより決定される前記獲得利得の種別を前記有利遊技状態から前記大当り遊技状態に変更する、
ことを特徴とする。
【００１５】
計時手段は、固有の計時カウンタを備えてカウント値を判定することで所定時間の経過計時を実行するものであっても良いし、例えば、ＲＴＣを備えて、該ＲＴＣによって経過計時を実行しても良い。所定時間は、該所定時間が経過した時刻から閉店までの残り時間が、当該大当り遊技状態を終了してから実行する有利遊技状態の実行に不充分となることが想定される程度の時間が好ましい。また、該所定時間は、容易に遊技店が変更調整可能な構成であることが好ましい。すなわち、開店及び閉店時間に変化が有る場合であっても、柔軟に対応可能とすることで、不具合もなく、常に充分にこの機能を発揮することが可能となる。
【００１６】
請求項３に記載の本発明は、
請求項１に記載の弾球遊技機において、
前記所定条件の成立は、遊技状態が予め定められた特定の遊技状態となったことである、
ことを特徴とする。
【００１７】
特定の遊技状態は、当該割り込み処理或いは所定数以前までの割り込み処理におけるＳ４２０にて、確変フラグに０を設定したことを起因として移行された通常遊技状態（低確率遊技状態）であっても良い。この場合、当該大当りが確変遊技状態において当選したものであり、当該大当りで既に連続した大当りを獲得している状態なので、利得種別変更手段によって次回の大当りを獲得するための利得である有利遊技状態から、今回の大当り遊技状態に利得種別を変更するよう構成される。そして、Ｓ４２０にて確変フラグを０に設定したことに起因してカウントアップするカウンタを備えて、該カウンタが１或いは所定の割り込み数に対応した数値を超えないか否かを判定する処理を行い、当該処理で肯定判定の場合に、利得種別変更手段を機能させるように構成することが好ましい。このように構成することで、既に1度は連チャンしているので、今回は確実に実行される大当り遊技状態の利得態様の選択を推奨することができる。
【００１８】
また、大当り終了後の所定変動回数以内で大当りとなった回数を、すなわち連チャン回数を積算するカウンタを備えて、該カウンタが所定回数となった遊技状態を特定の遊技状態としても良い。これにより、既に所定回数は連チャンしているので、今回は確実に実行される大当り遊技状態の利得態様の選択を推奨することができる。
【００１９】
請求項４に記載の本発明は、
遊技を統括制御する主制御手段と、
遊技球が流下する遊技領域と、を備え、
該遊技領域には、始動口と、開放することで前記遊技球の入球が可能となると共に該入球に基づいて遊技者に利益を供与する大入賞口が設けられ、
前記主制御手段は、
前記始動口への入球に起因して抽出した数値データに基づいて大当りとするか否かの当否判定を実行する当否判定手段と、
前記当否判定の結果が大当りとなったことに基づいて条件装置を作動する条件装置作動手段と、
前記条件装置が作動した後で役物連続作動装置が作動したことに基づいて前記大入賞口を複数回だけ開放して予め定められた所定利益を遊技者に供与する大当り遊技状態とする大当り遊技制御手段と、
前記大当り遊技状態の終了後に通常遊技状態よりも遊技者に有利な有利遊技状態に移行すると共に該有利遊技状態を予め定められた所定期間だけ実行する有利遊技状態制御手段と、を備えた弾球遊技機において、
前記遊技領域は、振分装置を更に設け、
該振分装置は、
前記遊技領域から遊技球を取込む取込口と、
前記取り込んだ遊技球が通過可能であると共に前記遊技球の通過に基づいて決定される獲得利得の利得態様に係る選択率が各々異なる第１所定領域と第２所定領域と、
前記遊技球を第１所定領域或いは第２所定領域に振り分ける振分手段と、を具備してなり、
前記大当り遊技状態は、前記所定利益の異なる複数種類の大当り遊技状態を備え、
前記有利遊技状態は、前記所定期間の異なる複数種類の有利遊技状態を備え、
前記獲得利得は、前記大当り遊技状態或いは前記有利遊技状態であって、
前記主制御手段は、
所定条件の成立に基づいて、前記第１所定領域或いは第２所定領域を遊技球が通過したことにより前記利得態様が決定される前記獲得利得の種別を前記大当り遊技状態から前記有利遊技状態に、或いは前記有利遊技状態から前記大当り遊技状態に、変更する利得種別変更手段と、
前記条件装置が作動した後で前記振分装置に取り込まれた遊技球が前記振分手段により振り分けられて前記第１所定領域或いは第２所定領域の何れかを通過したときに前記役物連続作動装置を作動させる役物連続作動手段と、を備え、
前記利得種別変更手段により変更された獲得利得と、前記第１所定領域或いは第２所定領域の内の何れを遊技球が通過したかに基づいて、前記複数種類の大当り遊技状態の内の何れかの大当り遊技状態を選択、或いは前記複数種類の有利遊技状態の内の何れかの有利遊技状態を選択し、
遊技者が操作可能であると共に該操作により前記獲得利得の種別を指定可能な操作手段を備え、
前記所定条件の成立は、遊技者による前記操作手段の操作が行われたことである、
ことを特徴とする。
【００２０】
請求項４に記載の弾球遊技機では、どのタイミングで振分装置に遊技球を入球させれば、振分手段が第１所定領域或いは第２所定領域に振り分けるかを報知する構成が好適である。
このように構成することで、第１所定領域或いは第２所定領域を通過したことにより決定される獲得利得の利得態様について、遊技者は任意の前記利得態様を獲得するために、タイミングを合わせて遊技球を発射させる面白みを抱くことが出来る。
【００２１】
また、操作手段は、現時点の獲得利得の種別から変更するか否かの意思表示を遊技者が操作により可能な構成であれば良い。獲得利得の種別毎にボタンを設けて、操作されたボタンが示唆する獲得利得の種別を遊技者が指定したと判断する構成が望ましい。但し、単に変更をする意思を確認するボタンであっても良い。その際は、現時点で設定されている獲得利得の種別を明示する構成を併設することが望ましい。
【発明の効果】
【００２２】
請求項１に記載の弾球遊技機によれば、第１所定領域或いは第２所定領域を遊技球が通過したことにより決定される前記獲得利得の種別を、大当り遊技状態と有利遊技状態の複数種類としつつも、利得種別変更手段が所定条件の成立に基づいてこれらを相互に変化可能とすることで、何れか一方に限定されることがなく、確実に遊技内容を多彩とすることが出来、且つ複数の利得種別の変更に関して遊技者の意思を介入させることが出来るので、遊技の興趣を著しく高めることが可能となる。
【００２３】
また、遊技球の通過により遊技者の意思を介入させるための第１所定領域及び第２所定領域を、振分装置の内部に設けて、第１所定領域及び第２所定領域への入球率を左右する構成を振分手段に限定することで、個々の入球率の差によって、何れか一方しか選択出来ない状態を回避し、両方の構成を確実に機能させることが可能となる。
【００２４】
請求項２に記載の弾球遊技機では、所定時間を遊技店の営業終了が近い時間と設定し、且つ獲得利得の種別を大当り遊技状態とすることで、遊技者の利益を確保することが出来る。すなわち、遊技者の意思を介入させる対象を、今から確実に実行されて獲得が期待できる大当り遊技状態における利得態様に限定し、残り時間の加減によっては充分な時間を充当出来ない危険性の有る有利遊技状態を対象としないことで、遊技者が被る可能性のある不利益を未然に防止することが出来る。
【００２５】
請求項３に記載の弾球遊技機によれば、予め定められた特定の遊技状態となったときに、利得種別変更手段が機能するため、個々の遊技状態毎に利得種別の変更の必要性に応じて機能させることが出来、遊技者の意思の介入を常時行うのではなく、有意義に行うことが出来る。
【００２６】
請求項４に記載の弾球遊技機では、請求項１に記載の弾球遊技機の効果に加えて、遊技者が自己の意思によって操作手段を操作し、該操作結果に応じ、複数の利得種別の変更に関して遊技者の意思を更に確実に介入させることが出来るので、遊技の興趣を著しく高めることが可能となる。
【図面の簡単な説明】
【００２７】
【図１】本発明の第１実施例のパチンコ機５０の正面図
【図２】パチンコ機５０の遊技盤１の正面図
【図３】振分装置の説明図
【図４】パチンコ機５０の電気的構成を示すブロック図
【図５】パチンコ機５０の主制御装置８０が実行するメインルーチンの概要を示すフローチャート
【図６】主制御装置８０が実行する始動入賞確認処理のフローチャート
【図７】主制御装置８０が実行する当否判定処理のフローチャート１
【図８】主制御装置８０が実行する当否判定処理のフローチャート２
【図９】主制御装置８０が実行する当否判定処理のフローチャート３
【図１０】主制御装置８０が実行する当否判定処理のフローチャート４
【図１１】主制御装置８０が実行する大当り決定処理１のフローチャート１
【図１２】主制御装置８０が実行する大当り決定処理１のフローチャート２
【図１３】主制御装置８０が実行する大当り決定処理１のフローチャート３
【図１４】主制御装置８０が実行する特別遊技処理のフローチャート１
【図１５】主制御装置８０が実行する特別遊技処理のフローチャート２
【図１６】主制御装置８０が実行する特別遊技処理のフローチャート３
【図１７】サブ統合制御装置８３が実行する画像表示の表示態様図１
【図１８】サブ統合制御装置８３が実行する画像表示の表示態様図２
【図１９】主制御装置８０が大当り決定処理にて用いる各種利得決定用乱数及び各種選択テーブルを説明する表図１
【図２０】主制御装置８０が大当り決定処理にて用いる各種利得決定用乱数及び各種選択テーブルを説明する表図２
【図２１】主制御装置８０が大当り決定処理にて用いる各種利得決定用乱数及び各種選択テーブルを説明する表図３
【図２２】第２実施例における主制御装置８０が実行する大当り決定処理２のフローチャート１
【図２３】第２実施例における主制御装置８０が実行する大当り決定処理２のフローチャート２
【図２４】第２実施例における主制御装置８０が実行する大当り決定処理２のフローチャート３
【図２５】第２実施例におけるサブ統合制御装置８３が実行する画像表示の表示態様図
【発明を実施するための形態】
【００２８】
以下に本発明の好適な実施形態について説明する。尚、本発明の実施の形態は下記の実施例に何ら限定されるものではなく、本発明の技術的範囲に属する種々の形態を採ることができ、各実施例に記載された内容を適宜組み合わせることが可能なことはいうまでもない。
【００２９】
図１に示すように、本実施形態のパチンコ機５０は、縦長の固定外郭保持枠をなす外枠５１にて各構成を保持する構造を有している。外枠５１の左側上下にはヒンジ５３が設けられており、ヒンジ５３により、板ガラス６１が嵌め込まれた前枠（ガラス枠）５２及び内枠（図示しない）が、外枠５１に対し開閉可能に保持される。また、前枠５２の板ガラス６１の奥には、内枠に保持された遊技盤１（図２）が設けられている。
【００３０】
前枠５２の上部の左右両側にはスピーカ６６が設置されており、これらにより遊技音が出力され、遊技の趣向性を向上させる。また、前枠５２には、遊技状態に応じて発光する枠側装飾ランプ６５のほか、遊技の異常を報知するＬＥＤが設けられている。前枠５２の下部には、上皿５５と下皿６３とが一体に形成されている。また、下皿６３の右側には発射ハンドル６４が設けられており、発射ハンドル６４を時計回りに操作することにより発射装置が作動し、上皿５５から供給された遊技球が遊技盤１に向けて発射される。
【００３１】
下皿６３は、上皿５５から溢れた賞球を受けるよう構成されており、球抜きレバーを操作することで、下皿６３に溜まった遊技球を遊技店に備えられたドル箱に移すことができる。また、上皿５５の中央には、演出ボタン６７及びジョグダイヤル６８が設けられている。
【００３２】
ジョグダイヤル６８の左右両側方には、本発明の獲得利得の種別を指定操作可能な操作手段として、左にはラウンド数指定ボタン４１、ジョグダイヤル６８の右には時短回数指定ボタン４３が設けられている。
なお、獲得利得或いは獲得利得の種別とは、本実施例では大当り遊技状態或いは時短遊技状態を示唆する。また、獲得利得の利得態様とは、大当り遊技状態におけるラウンド数、或いは時短遊技状態における時短回数を示唆する。よって、遊技者は、ラウンド数指定ボタン４１を操作することで、大当り遊技状態を獲得利得と指定すると共にラウンド数を獲得利得の利得態様として指定する。また、時短回数指定ボタン４３を操作することで、時短遊技状態を獲得利得と指定すると共に時短回数を獲得利得の利得態様として指定する。
【００３３】
本パチンコ機５０は、いわゆるＣＲ機であり、プリペイドカードの読み書きを行うプリペイドカードユニット（ＣＲユニット）５６が付属されていると共に、上皿５５の右側には球貸ボタン５７，精算ボタン５８，精算表示装置５９が設けられている。なお、図１の４９は、前枠５２及び前記内枠を外枠５１にロックするシリンダ錠であり、該シリンダ錠４９に所定の鍵を挿入して鍵を時計回りに操作すると、内枠が開放され、反時計回りに操作すると、前枠５２が開放される。
【００３４】
また、図２に示すように、遊技盤１には、外レール２ａと内レール２ｂとによって囲まれた略円形で形成されると共に、上述したように遊技者が発射ハンドル６４を操作することで発射された遊技球が流下する遊技領域３が形成されている。遊技領域３には、その中央部にセンターケース５が装着され、センターケース５に向かって左横には、普通図柄作動ゲート２２が設置されている。普通図柄作動ゲート２２を遊技球が通過すると、普通図柄の当否抽選用の複数種類の乱数が抽出され、抽出された乱数に基づく当否判定（普通図柄抽選）が行われる。
【００３５】
センターケース５の直下には、遊技球の入球に起因して、特別図柄（特図とも記載）の変動表示を伴う大当り抽選が行われる第１始動口１１及び第２始動口１２が、上下に並んで配設されている。本パチンコ機５０は、第１始動口１１、第２始動口１２のいずれに入球しても共通の特別図柄が変動される。第１始動口１１は、常時遊技球が入球可能に構成されているが、第２始動口１２は、普通図柄抽選での当選により開放される普通電動役物として構成されており、開放時のみ入球可能となっている。
第２始動口１２は、普通図柄抽選での当選時に、所定時間の開放が行われる。
なお、第１始動口１１及び第２始動口１２は、共に本発明の始動口を構成する。
【００３６】
また、センターケース５に向かって右側には、内部に取り込んだ遊技球を振り分けて、該振り分け結果に基づいて、遊技者に供与される利得の大きさを決定するための、本発明の振分装置１６が設けられている。振分装置１６は、利得の多寡を決定するために主制御装置が実行する大当り決定処理にて機能する構成であって、その際には、遊技者は所謂右打ちを行うことで、容易に遊技球を当該振分装置１６に入球可能な位置に配設されている。
【００３７】
本発明の要部を構成する振分け装置１６は、振り分けた遊技球の帰趨に因って、大当り遊技状態中のラウンド数或いは大当り遊技状態終了後の時短回数を決定するものである。なお、振分装置１６の構成及び作用については後で詳述する。
【００３８】
また、センターケース５の下方であって、第１，第２始動口１１，１２に向かって右側には、大当り抽選で当ると行われる大当り遊技（状態）の際に開放される特別電動役物からなる大入賞口２０が配置されている。後で詳述するが、大入賞口２０は、大当り遊技状態となると、所定のラウンド数だけ開放し、該開放によって遊技球が入球可能な状態となり、当該開放時に入球した遊技球毎に所定の賞球が遊技者に利益として供与されるものである。
【００３９】
遊技盤１に向かって右下の領域には、７セグメントの特図表示装置９と、４個のＬＥＤからなる特図保留数表示装置２３と、２個のＬＥＤからなる普通図柄表示装置７と、４個のＬＥＤからなる普図保留数表示装置８が設置されている。
【００４０】
図２に示す遊技盤１のセンターケース５には、中央に演出図柄表示装置６（全体の図示は省略）のＬＣＤパネルが配設され、ＬＣＤパネルの画面上では、演出図柄（装飾図柄とも呼称する）の変動表示や、各種報知表示等を行うことで、特図に対応する大当り抽選の結果を報知する図柄演出や、大当り遊技状態中の各種演出や各種報知等が行われる。また、センターケース５には、周知のものと同様にワープ入口、ワープ樋、ステージ等が設けられている。また、遊技領域３の左下部には、一般入賞口２５、２６、２７が設けられている。なお、遊技盤１の遊技領域３には多数の遊技釘４が植設されており、盤面最下部にはアウト口が設けられている。
【００４１】
次に、本発明の要部である振分装置１６の構成及び作用について図３を参照して説明する。尚、当該図は、便宜上、内部の振分構造等が判り易いように筐体前面部を省略した概略説明図となっている。
振分装置１６は、上述したように、所謂右打ちによって発射されて遊技領域３の右側流下経路を流下する遊技球を内部に取込可能なように上方に向かって開口してなる取込口１６ａを備える。また振分装置１６は、取込口１６ａに連通してなると共に図示略逆Ｙ字状に形成される振分誘導路を備え、該逆Ｙ字状の振分誘導路の向かって左下部には第１ゲート１８を備え、同じく右下部には第２ゲート１９を備える。前記振分誘導路の分岐には、回動可能に枢設されて起立状態から左右に傾倒可能な振分部材１７を備える。該振分部材１７は、後述する振分ソレノイド１７ａを駆動手段として左右に傾倒動作するよう構成されている。振分ソレノイド１７ａの駆動制御は、主制御装置８０が後述する振分装置制御処理（Ｓ７６０）によって直接実行する構成となっている。但し、振分ソレノイド１７ａの駆動制御手段として、振分ソレノイド駆動制御基板を備えて、主制御装置８０は、該振分ソレノイド駆動制御基板を介して、間接的に振分部材１７の駆動態様を制御するように構成しても良い。更に、第１ゲート１８及び第２ゲート１９に連通すると共に図示左方向に下り傾斜して形成される排出誘導路を備え、該排出誘導路の左端部には、第１ゲート１８或いは第２ゲート１９を通過した遊技球を遊技領域３に排出する排出口１６ｂが開設されている。
【００４２】
このように構成される振分装置１６の作用について説明する。先ず、振分装置１６の振分部材１７は、後述する大当り決定処理の振分装置制御処理（Ｓ７６０）において、振分ソレノイド１７ａが駆動制御されることで、枢軸を中心として図示左右方向に向けて傾倒動作を反復継続して行う。この左右の傾倒動作は、各々例えば５ｓｅｃ毎に切換わって実行される。このような傾倒動作の実行中において、振分装置１６は、取込口１６ａから遊技球を取り込むと、該遊技球を直下の振分部材１７に向けて誘導する。誘導された遊技球は、振分部材１７の傾倒動作によって実現される振分態様に基づいて、第１ゲート１８或いは第２ゲート１９の何れかに振り分けられ、何れかのゲートを通過することで第１ゲートスイッチ１８ａ或いは第２ゲートスイッチ１９ａが検知信号を生成する。上記何れかのゲートを通過した遊技球は、排出誘導路を下り傾斜に従って流下し、排出口１６ｂから遊技領域３に向けて排出される。
【００４３】
更に図３（ａ）及び（ｂ）を参照して詳述する。図３（ａ）は、振分部材１７が左方向に傾倒動作して左側の振分誘導路を遮蔽することで、遊技球を右下方に誘導する右振分態様を示し、図３（ｂ）は、振分部材１７が右方向に傾倒動作して右側の振分誘導路を遮蔽することで、遊技球を左下方に誘導する左振分態様を示している。図３（ａ）の右振分態様の場合、遊技球は第２ゲート１９を通過するように振り分けられ、図３（ｂ）の左振分態様の場合、遊技球は第１ゲート１８を通過するように振り分けられる。
【００４４】
本実施例では、遊技球が第２ゲート１９を通過したことに起因して、メイン利得決定用乱数を取得（抽出）するように構成されている。また、第１ゲート１８或いは第２ゲート１９を遊技球が通過したことに基づいて、役物連続作動装置の作動開始契機を発生するように構成されている。
【００４５】
すなわち、本実施例の振分部材１７は本発明の振分手段を構成する。また、本実施例の第１ゲート１８は、本発明の第１所定領域を、第２ゲート１９は第２所定領域を構成する。
このように、本実施例の振分装置１６は、メイン利得としての、ラウンド数或いは時短回数を決定する機能の他、第１ゲート１８或いは第２ゲート１９への遊技球の通過に基づいて役物連続作動装置の作動開始契機を発生させる機能を備える。
【００４６】
次に、パチンコ機５０の電気的構成について説明する。このパチンコ機５０は、図４のブロック図に示すとおり、主制御装置８０を中心にして構成されている。なお、このブロック図には、単に信号を中継するいわゆる中継基板や電源基板等は記載されていない。また、詳細な図示は省略するが、主制御装置８０、払出制御装置８１、演出図柄制御装置８２、サブ統合制御装置８３のいずれもＣＰＵ、ＲＯＭ、ＲＡＭ、入力ポート、出力ポート等を備えている。また、発射制御装置８４、電源基板にはＣＰＵ、ＲＯＭ、ＲＡＭは設けられていないが、これに限るわけではなく、発射制御装置８４等にＣＰＵ、ＲＯＭ、ＲＡＭ等を設けてもよい。
【００４７】
主制御装置８０には、第１始動口１１、第２始動口１２に入球した遊技球を検出する始動口スイッチ（当図ではＳＷと表記。他の構成についても同様）１１ａ、普通図柄作動ゲート２２に進入した遊技球を検出する普通図柄作動ＳＷ２２ａ、一般入賞口２５〜２７に入球した遊技球を検出する入賞口ＳＷ２５ａ等からの検出信号が入力される。
【００４８】
また、このほかにも、大入賞口２０に入球した遊技球を計数するためのカウントＳＷ２０ａ等からの検出信号が入力される。さらに、振分装置１６に設けられて、第１ゲート１８を通過した遊技球を検出する第１ゲートＳＷ１８ａ、同装置に設けられた第２ゲート１９を通過した遊技球を検出する第２ゲートＳＷ１９ａ等からの検出信号が入力される。また、ラウンド数指定ボタン４１が押されたことを示すラウンド数指定ＳＷ４１ａからの検出信号が入力され、時短回数指定ボタン４３が押されたことを示す時短回数指定ＳＷ４３ａからの検出信号が入力される。
【００４９】
主制御装置８０は、搭載しているプログラムに従って動作して、上述の検出信号等に基づいて遊技の進行に関わる各種のコマンドを生成し、払出制御装置８１及びサブ統合制御装置８３に出力する。また、主制御装置８０は、図柄表示装置中継端子板９０を介して接続されている特図表示装置９，特図保留数表示装置２３，普通図柄表示装置７，普図保留数表示装置８の表示を制御する。
【００５０】
また、主制御装置８０は、大入賞口ソレノイド（当図ではＳＯＬと表記する場合もあり。他の構成についても同様）２０ｂを制御することで大入賞口２０の開閉を制御すると共に、普電役物ソレノイド１２ｂを制御することで第２始動口１２の開閉を制御する。
さらに、主制御装置８０は、上述した振分部材１７を駆動させる振分ソレノイド１７ａを駆動制御する。
【００５１】
主制御装置８０からの出力信号は試験信号端子にも出力されるほか、図柄変動や大当り等の管理用の信号が外部接続端子板７８に出力されてホールコンピュータ８７に送られる。このように、主制御装置８０はパチンコ機５０の遊技を統括制御する本発明の主制御手段である。
【００５２】
主制御装置８０と払出制御装置８１とは双方向通信が可能である。
払出制御装置８１は、主制御装置８０から送られてくるコマンドに応じて払出モータ３０を稼働させて賞球を払い出させる。本実施例においては、賞球として払い出される遊技球を計数するための払出ＳＷ３１の検出信号は払出制御装置８１に入力され、払出制御装置８１で賞球の計数が行われる構成を用いる。この他にも主制御装置８０と払出制御装置８１に払出ＳＷ３１の検出信号が入力され、主制御装置８０と払出制御装置８１の双方で賞球の計数を行う構成を用いることも考えられる。
【００５３】
なお、払出制御装置８１は、ガラス枠開放ＳＷ４５，内枠開放ＳＷ４６，球切れＳＷ３３，払出ＳＷ３１，満杯ＳＷ３２からの信号が入力され、満杯ＳＷ３２により下皿６３が満タンであることを示す信号が入力された場合や、球切れＳＷ３３により球タンク（図示しない）に遊技球が少ないあるいは無いことを示す信号が入力された場合には、払出モータ３０を停止させ、賞球の払出動作を停止させる。また、満杯ＳＷ３２，球切れＳＷ３３も、その状態が解消されるまで信号を出力し続ける構成になっており、払出制御装置８１は、その信号が出力されなくなることに起因して払出モータ３０の駆動を再開させる。
【００５４】
また、払出制御装置８１は、ＣＲユニット端子板３４を介してＣＲユニット（プリペイドカードユニット）５６と交信することで払出モータ３０を作動させ、貸し球を排出する。払出された貸し球は払出ＳＷ３１に検出され、検出信号は払出制御装置８１に入力される。また、ＣＲユニット端子板３４は、精算表示装置５９とも双方向通信可能に接続されており、精算表示装置５９には、遊技球の貸出しを要求するための球貸ボタン（球貸ＳＷを具備）５７、精算を要求するための精算ボタン（精算ＳＷを具備）５８が設けられている。
【００５５】
また、払出制御装置８１は、外部接続端子板７８を介して賞球に関する情報、枠（内枠，前枠５２）の開閉状態を示す情報などをホールコンピュータ８７に送信するほか、発射制御装置８４に対して発射停止信号を送信する。発射制御装置８４は、発射モータ４０を制御して、遊技領域３に遊技球を発射させる。
【００５６】
なお、発射制御装置８４には、払出制御装置８１以外に、発射ハンドル６４からの回動量信号、タッチＳＷ３８からのタッチ信号、発射停止ＳＷ３９から発射停止信号が入力される。回動量信号は、遊技者が発射ハンドル６４を操作することで出力され、タッチ信号は遊技者が発射ハンドル６４を触ることで出力され、発射停止スイッチ信号は、遊技者が発射停止ＳＷ３９を押すことで出力される。なお、タッチ信号が発射制御装置８４に入力されていなければ、遊技球は発射できないほか、発射停止スイッチ信号が入力されているときには、遊技者が発射ハンドル６４を触っていても遊技球は発射出来ないようになっている。
【００５７】
サブ統合制御装置８３は、主制御装置８０から送信されてくるデータ及びコマンドを受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。
【００５８】
そして、音声制御装置としての機能部は、音声制御用のデータに基づいて音ＬＳＩを作動させることによってスピーカ６６からの音声出力を制御し、ランプ制御装置としての機能部は、ランプ制御用のデータに基づいてランプドライバを作動させることによって各種ＬＥＤ、ランプ２８を制御する。
【００５９】
また、サブ統合制御装置８３には、演出ボタン６７，ジョグダイヤル６８が接続されており、遊技者が演出ボタン６７，ジョグダイヤル６８を操作した際には、その信号がサブ統合制御装置８３に入力される。
【００６０】
サブ統合制御装置８３と演出図柄制御装置８２とは双方向通信が可能である。
演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、演出図柄の変動表示（図柄演出）等の演出画面を表示させる。
【００６１】
メインルーチンを図５に従って説明する。メインルーチンは、約２ｍｓ毎のハード割り込みにより繰り返し実行される。本実施形態では、当該メインルーチンが１回起動される毎にＳ１０〜Ｓ６５までの１回だけ実行される処理を「本処理」と称し、この本処理を実行して余った時間内に時間の許す限り繰り返し実行されるＳ７０の処理を「残余処理」と称する。「本処理」は上記割り込みにより定期的に実行されることになる。
【００６２】
マイコンによるハード割り込みが実行されると、まず正常割り込みであるか否かが判断される（Ｓ１０）。この判断処理は、メモリとしてのＲＡＭの所定領域の値が所定値であるか否かを判断することにより行われ、マイコンにより実行される処理が本処理に移行したとき、通常の処理を実行して良いのか否かを判断するためのものである。正常割り込みでない場合としては、電源投入時又はノイズ等によるマイコンの暴走等が考えられるが、マイコンの暴走は近年の技術の向上によりほとんど無いものと考えて良いので、たいていが電源投入時である。電源投入時にはＲＡＭの所定領域の値が所定値と異なる値となっている。
【００６３】
正常割り込みでないと判断されると（Ｓ１０：ｎｏ）、初期設定(例えば前記メモリの所定領域への所定値を書き込み、特別図柄および普通図柄を初期図柄とする等のメモリの作業領域への各初期値の書き込み等）が為され（Ｓ１５）、残余処理（Ｓ７０）に移行する。
【００６４】
正常割り込みとの肯定判断がなされると（Ｓ１０：ｙｅｓ）、初期値乱数更新処理が実行される（Ｓ２０）。この処理は、初期値乱数の値についてこの処理を実行する毎に＋１するインクリメント処理であり、この処理実行前の初期値乱数の値に＋１するが、この処理を実行する前の乱数値が最大値としての例えば「２９９」のときには次回の処理で初めの値である「０」に戻り、「０」〜「２９９」までの３００個の整数を繰り返し昇順に作成する。
【００６５】
Ｓ２０に続く大当り決定用乱数更新処理（Ｓ２５）については、初期値乱数更新処理と同様に処理を実行する毎に＋１するインクリメント処理であり、最大値としての例えば「２９９」のときは次回の処理で初めの値である「０」に戻り、「０」〜「２９９」までの３００個の整数を繰り返し昇順に作成する。なお、大当り決定用乱数の最初の値は、初期値乱数更新処理（Ｓ２０）で設定（作成）された値となる。この値が１５０であったとすると、大当り決定用乱数は「１５０」「１５１」「１５２」・・・「２９９」「０」「１」・・・と更新されていく。
【００６６】
なお、大当り決定用乱数が一巡（３００回、更新されること）すると、そのときの前記初期値乱数の値を大当り決定用乱数の初期値にする。大当り決定用乱数は、その初期値から＋１されていく。そして、再び大当り決定用乱数が一巡すると、その時の初期値乱数の値を大当り決定用乱数の初期値にする動作を行なう。つまり、この一連の動作を繰り返し続けることになる。前述の例では大当り決定用乱数が「１４９」になると一巡であるから、「１４９」の次は前記初期値乱数の値となる。仮に初期値乱数の値が「８７」だったとすると、「１４９」「８７」「８８」・・・「２９９」「０」「１」・・・「８６」と変化していき、「８６」の次は新たな前記初期値乱数の値となる。
【００６７】
大当り図柄決定用乱数更新処理（Ｓ３０）は「０」〜「９」の１０個の整数を繰り返し作成するカウンタとして構成され、本処理毎に＋１され最大値を超えると初めの値である「０」に戻る。Ｓ３０に続く当り決定用乱数更新処理（Ｓ３５）は、「０」〜「９」の１０個の整数を繰り返し作成するカウンタとして構成され、本処理毎で＋１され最大値を超えると初めの値である「０」に戻る。なお、当選することとなる値は、常に「７」である。この当り決定用乱数は普通図柄の抽選に使用し、初期値乱数、大当り決定用乱数、リーチ判定用乱数は特別図柄の抽選に使用し、大当り図柄決定用乱数、変動パターン決定用乱数は、普通図柄の抽選・特別図柄の抽選の双方に用いる。
【００６８】
リーチ判定用乱数更新処理（Ｓ４０）は、「０」〜「２２８」の２２９個の整数を繰り返し作成するカウンタとして構成され、本処理毎で＋１され最大値を超えると初めの値である「０」に戻る。変動パターン決定用乱数更新処理（Ｓ４５）は、「０」〜「１１９」の１２０個の整数を繰り返し作成するカウンタとして構成され、本処理毎で＋１され最大値を超えると初めの値である「０」に戻る。
【００６９】
Ｓ４５に続いて本実施例の主制御装置８０は、Ｓ４７において利得決定用乱数更新処理を実行する。当該処理では、本発明の要部に係るメイン利得決定用乱数及びサブ利得決定用乱数を更新する。
ここで、図１９（ａ）を参照して、メイン利得決定用乱数及びサブ利得決定用乱数について説明する。
【００７０】
メイン利得決定用乱数は、「０」〜「９」の１０個の整数を繰り返し作成するカウンタとして構成され、本処理毎に＋１され最大値を超えると初めの値である「０」に戻る。メイン利得決定用乱数の抽出は、後述する第２ゲート１９を遊技球が通過した時期に起因して実行される。
【００７１】
サブ利得決定用乱数は、「０」〜「８」の９個の整数を繰り返し作成するカウンタとして構成され、本処理毎に＋１され最大値を超えると初めの値である「０」に戻る。サブ利得決定用乱数の抽出は、第１始動口１１或いは第２始動口１２に遊技球が入球した時期に起因して実行される。
【００７２】
因みに、繰り返しになるが、上述した大当り図柄決定用乱数は、「０」〜「９」の１０個の整数を繰り返し作成するカウンタとして構成され、本処理毎に＋１され最大値を超えると初めの値である「０」に戻る。大当り図柄決定用乱数の抽出は、第１始動口１１或いは第２始動口１２に遊技球が入球した時期に起因して実行される。
【００７３】
なお、サブ利得決定用乱数の大きさは、上述したように「０」〜「８」の９個の乱数により構成される。これに対して、抽出時期を同じとする上記大当り図柄決定用乱数の大きさは、「０」〜「９」の１０個の乱数により構成されるようになっている。これにより、両乱数の更新処理が反復継続されるにしたがって、両乱数の値が１対１の関係となることを防止し、ひいては、後述するサブ利得選択テーブルにおいて、当該両乱数の値に基づいて決定される時短回数或いはラウンド数が、ランダムに選択されるようになっている。
【００７４】
大当り図柄決定用乱数、メイン利得決定用乱数及びサブ利得決定用乱数を用いた、時短回数或いはラウンド数の選択決定処理については、本発明の要部として後で詳述するものとする。図５に戻って、再度メインルーチンについて説明する。
【００７５】
続く入賞確認処理（Ｓ５０）では、第１始動口１１、第２始動口１２の入賞の確認、普通図柄作動ゲート２２の遊技球の通過の確認、及び本実施例のパチンコ機に設けられ主制御装置８０に接続された各スイッチ類の入力処理が実行される。
すなわち、当該処理にて、第１ゲート１８及び第２ゲート１９に関して、遊技球の通過を確認する処理も併せて実行される。
【００７６】
本実施例では、遊技球が第１始動口１１、第２始動口１２に入賞すると大当り決定用乱数、大当り図柄決定用乱数、変動パターン決定用乱数、リーチ判定用乱数、これらに加えて、本発明の時短回数やラウンド数を決定するためのサブ利得決定用乱数など複数の乱数を取得されるのだが、保留記憶できる数を第１始動口１１と第２始動口１２を合わせて４個までとしており、保留記憶が満タンである４個のときに遊技球が対応する始動口に入賞しても賞球が払出されるだけで、前記複数の乱数は保留記憶されない構成になっている。
【００７７】
続いて、大当りか否かを判定する条件成立判定手段としての当否判定処理（Ｓ５５）を行う。当否判定処理（Ｓ５５）では、特別図柄および普通図柄のそれぞれに対応した当否判定や、当否判定に付随する図柄変動や特別遊技処理などの処理を行なう。この当否判定処理（Ｓ５５）に続く不正監視処理（Ｓ６０）は、一般入賞口２５〜２７に対する不正が行われていないか監視する処理であり、所定時間内における入賞口への遊技球の入球が予め決定された規定数よりも多いか否かを判断して、多かった場合には不正と判断され、その旨を報知する処理である。つまり、不正判断手段は、主制御装置８０に設けられている。
【００７８】
続く各出力処理（Ｓ６５）では、遊技の進行に応じて主制御装置８０は演出図柄制御装置８２、払出制御装置８１、発射制御装置８４、サブ統合制御装置８３、大入賞口ソレノイド２０ｂ等に対して各々出力処理を実行する。即ち、入賞確認処理（Ｓ５０）により遊技盤１上の各入賞口に遊技球の入賞があることが検知されたときには賞球としての遊技球を払い出すべく払出制御装置８１に賞球信号を送信する処理を、遊技状態に対応したサウンドデータをサブ統合制御装置８３に出力する処理を、パチンコ機に異常があるときにはエラー中であることを報知すべく演出図柄制御装置８２にエラー信号を出力する処理を各々実行する。
【００７９】
本処理に続く前述の残余処理は、初期値乱数更新処理（Ｓ７０）から構成されるが、前述したＳ２０と全く同じ処理である。この処理は無限ループを形成し、次の割り込みが実行されるまで時間の許される限り繰り返し実行される。前述したＳ１０〜Ｓ６５までの本処理を実行するのに必要とされる時間は、大当り処理を実行するか否か、特別図柄の表示態様の相違等により割り込み毎に異なる。この結果、残余処理を実行する回数も割り込み毎に異なり、割り込み処理が１回実行されることにより初期値乱数に更新される値も一律ではなくなる。これにより、初期値乱数が大当り決定用乱数と同期する可能性は極めて小さくなる。大当り決定用乱数が一巡したときの、初期値乱数の値（０〜２９９の３００通り）が、同程度に発生するとすれば、同期する確率はわずか１／３００である。また、前述した当り決定用乱数更新処理（Ｓ３５）も残余処理内において実行するよう構成しても良い。
【００８０】
始動入賞確認処理（Ｓ５０の一部）の概要を図６に示す。主制御装置８０は、まず始動口スイッチ１１ａの検出信号に基づいて、第１始動口１１、第２始動口１２に遊技球が入球したか否かを判断する（Ｓ１００）。肯定判断なら（Ｓ１００：ｙｅｓ）、大当り決定用乱数、大当り図柄決定用乱数、リーチ判定用乱数、変動パターン決定用乱数、更に上述した本発明のサブ利得決定用乱数等を該当の各カウンタから読み込んで、特別図柄の保留記憶が満杯（本実施例では４個）か否かを判断する（Ｓ１０５）。すなわち、本発明の始動口への入球に起因して数値データとしての大当り決定用乱数を抽出する。
【００８１】
保留記憶が満杯でなければ（Ｓ１０５：ｎｏ）、上記の各乱数を保留記憶として記憶し、特別図柄保留数表示装置２３の点灯態様を１増加させる（Ｓ１１０）。なお、特別図柄保留数表示装置２３は２個のＬＥＤの点灯または消灯させることにより２進法により保留記憶されている数を表す（ただし保留記憶数が４個の場合は２個のＬＥＤを共に点滅させる）もので、「点灯態様を１増加させる」とは２進法で示される数を１つ増やすという意味である。また、Ｓ１１０では保留個数が更新されたことを示すコマンド（保留個数コマンド）をサブ統合制御装置８３に送信する。こうして当処理を終了（リターン）する。第１始動口１１、第２始動口１２に遊技球が入球していない場合（Ｓ１００：ｎｏ）、又は保留記憶が満杯の場合（Ｓ１０５：ｙｅｓ）、はそのまま当処理を終了する。
【００８２】
Ｓ５５の当否判定処理の内、特別図柄に係る当否判定などを行なう処理は、図７〜１０に示すようなもので、主制御装置８０は、条件装置が作動中か否かを大当りフラグに基づいて判断する（Ｓ２００）。Ｓ２００の判定が否定判断で、特別図柄が変動中でなく（Ｓ２０５：ｎｏ）、確定図柄の表示中でもなければ（Ｓ２１０：ｎｏ）、図８のＳ２５０に移行し、特別図柄の保留記憶（Ｓ１１０による保留記憶）があるか否かを判断する。この保留記憶があれば（Ｓ２５０：ｙｅｓ）、保留記憶数をデクリメントし（Ｓ２５５）、Ｓ２７０に進む。Ｓ２７０では保留記憶の中で最も古いものを読み込んで（その保留記憶は消去する）、確変フラグがセットされている（すなわち１）か否かを判定する。ここで確変フラグが１とは、現在のパチンコ機が高確率遊技状態（確変状態とも言う）であることを意味する。肯定判断であれば（Ｓ２７０：ｙｅｓ）、読み込んだ大当り決定用乱数を確変テーブルに記録されている当り値と照合する（Ｓ２７５）。ここで当り値の数は１０で、７〜１６である。つまり当り確率は１／３０となる。Ｓ２７０が否定判断された場合（Ｓ２７０：ｎｏ）は、Ｓ２８０にて当り決定用乱数を通常テーブルに記録されている当り値と照合する。ここで当り値は７のみである。つまり当り確率は１／３００となる。
すなわち、Ｓ２７５及びＳ２８０は、本発明の始動口への入球に起因して抽出した数値データとしての大当り決定用乱数に基づいて、大当りとするか否かの当否判定を実行する本発明の当否判定手段である。
【００８３】
Ｓ２７５またはＳ２８０の判定が行なわれると、Ｓ２８５にて大当りか否かを判定（当否判定）し、肯定判定であれば（Ｓ２８５：ｙｅｓ）、大当り図柄決定用乱数によって特図の大当り図柄（単に当り図柄ともいう）を決定する（Ｓ２９０）。こうして大当り図柄が決定すると、変動パターン決定用乱数等によって変動パターンを決定し（Ｓ２９５）、大当り設定処理を行う（Ｓ３００）。なお、Ｓ２８５において外れと判定された場合は、変動パターン決定用乱数等によって変動パターンを決定し（Ｓ３０５）、ハズレ設定処理（Ｓ３１０）を行なう。なお、Ｓ３０５の変動パターン決定処理で決定した変動パターンに基づいて変動時間が決定するが、当該処理においては、現時点が時短遊技状態であるか否かによって選択される変動パターンが異なるように構成されている。
【００８４】
ここで、本実施例の時短遊技状態について説明する。時短遊技状態では、普通図柄の変動時間が通常遊技状態の場合よりも短時間に変更される。また、普通図柄が当選した場合に開放作動する普通電動役物としての第２始動口１２の開放時間が通常遊技状態よりも長時間に変更される。これにより、単位時間あたりの当りとなる可能性が高まり、通常遊技状態に比較して、遊技者に有利な状態となる。さらに、本実施例では、これに加えて、特別図柄の変動時間も短縮されるように構成されている。時短回数は、このような状態が維持される期間を、特別図柄の変動回数に換算したものである。
【００８５】
次に、Ｓ３１０のハズレ設定処理では、確変回数のデクリメント（確変フラグが１のとき）が行なわれる。また、時短回数のデクリメント処理（時短フラグが１のとき）も行われる。Ｓ３０５及びＳ３１０は、本発明の時短遊技状態を所定期間である時短回数だけ実行するための構成であり、本発明の有利遊技状態制御手段を構成する。Ｓ３００、又はＳ３１０に続いては、上述の抽選結果を示すデータ、具体的には通常大当り、確変大当り、リーチ外れ（外れであるがリーチ表示有り）、リーチ表示無しの外れのいずれかを示すデータと変動時間を指定する変動パターンのデータが含まれる変動開始コマンド（表示制御コマンド）をサブ統合制御装置８３に出力する（Ｓ３１５）。なお、Ｓ３１５の処理により演出図柄表示装置６では演出図柄を設定し、その変動表示を開始するが、ほぼ同時に特別図柄の変動も主制御装置８０によって開始される。また、特別図柄が変動する際には必ず演出図柄も変動され、且つ演出図柄が変動されるときには特別図柄も変動されるので、これらの図柄が変動することを単に「図柄が変動する」とも言う。Ｓ３１５が終了すると、大当り決定処理を行う。
【００８６】
図７において特別図柄が変動中（Ｓ２０５：ｙｅｓ）と判定された場合には、図９のＳ３５０に移行し、図柄変動時間（Ｓ３００、又はＳ３０５にて設定された変動パターンに基づく）が経過したか否かを判定する。否定判断（Ｓ３５０：ｎｏ）であれば本処理を終了して大当り決定処理へ移行し、肯定判断であれば確定図柄表示処理（Ｓ３５５）を行なってから本処理を終了して大当り決定処理へ移行する。
【００８７】
図７において確定図柄を表示中と判定された場合（Ｓ２１０：ｙｅｓ）には、図１０のＳ４００に移行し、確定図柄の表示時間が終了したか否かを判定する。否定判断（Ｓ４００：ｎｏ）であれば本処理を終了して大当り決定処理を行い、肯定判断であれば確定図柄表示終了処理（Ｓ４０５）を行なってから大当りになる組合せか否かを判定する（Ｓ４１０）。肯定判断なら確変フラグが１か否かを判定し（Ｓ４１５）、肯定判断なら（Ｓ４１５：ｙｅｓ）確変フラグを０にし（Ｓ４２０）、Ｓ４２５に移行する。否定判断なら（Ｓ４１５：ｎｏ）そのまま、Ｓ４２５に移行する。
【００８８】
Ｓ４２５では、時短フラグが１か否かを判定する。時短フラグが１であれば（Ｓ４２５：ｙｅｓ）、Ｓ４３０にて時短フラグを０にし、Ｓ４３５に移行する。時短フラグが１でなければ（Ｓ４２５：ｎｏ）、そのままＳ４３５に移行する。
【００８９】
Ｓ４３５では、条件装置作動開始処理により、大当りフラグをセットする。そしてＳ４４５にて大当り開始演出処理を行なう。大当り開始演出処理では、大当り遊技を開始するコマンド及び大当り遊技に係る情報（大当りのオープニング時間、開放パターン、大当りのエンディング時間等）をサブ統合制御装置８３に送信する。
すなわち、Ｓ４３５は、当否判定の結果が大当りとなったことに基づいて条件装置を作動させる、本発明の条件装置作動手段である。
【００９０】
大当り開始演出処理が終了すると、大当り決定処理を行なう。Ｓ４１０で、確定表示させた特別図柄が大当りになる表示でないと判定された場合は、Ｓ４５０に移行して確変フラグが１か否かを判定する。肯定判断（Ｓ４５０：ｙｅｓ）であれば、確変回数が０か否かを判定する（Ｓ４５５）。確変回数が０であれば（Ｓ４５５：ｙｅｓ）、Ｓ４６０にて確変フラグを０にし、Ｓ４６５に進む。確変フラグが１でないとき（Ｓ４５０：ｎｏ）、または確変回数が０ではないとき（Ｓ４５５：ｎｏ）は、そのままＳ４６５に移行する。
【００９１】
Ｓ４６５では、時短フラグが１か否かを判定し、１であれば（Ｓ４６５：ｙｅｓ）、時短回数が０か否かを判定する（Ｓ４７０）。時短回数が０であれば（Ｓ４７０：ｙｅｓ）、Ｓ４７５にて時短フラグを０にしてＳ４８０に進む。時短回数が０ではないとき（Ｓ４７０：ｎｏ）又は時短フラグが１でないとき（Ｓ４６５：ｎｏ）はそのままＳ４８０に移行する。
【００９２】
Ｓ４６５、Ｓ４７０、及びＳ４７５は、本発明の有利遊技状態としての時短遊技状態を、予め定めた所定期間としての時短回数だけ実行するために機能する構成であって、本発明の有利遊技状態制御手段を構成する。
【００９３】
Ｓ４８０では、現在の遊技状態が確変中であるか否か、時短中であるか否か等の状態を示す状態指定コマンドをサブ統合制御装置８３に送信し、大当り決定処理を実行する。図７のＳ２００で特別電動役物が作動中と判定された場合も大当り決定処理を実行する。
【００９４】
ここで、後述する本発明の大当り決定処理において参照する各種利得選択テーブル等について、図１９乃至図２１を参照して説明する。図１９乃至図２１は、主制御装置８０が大当り決定処理にて用いる各種利得決定用乱数及び各種選択テーブルを説明する表図１乃至３である。
先ず、図１９（ａ）には、上述したように、本実施例において各種獲得利得（例えば、大当り遊技状態や時短遊技状態）の利得態様（例えば、ラウンド数や時短回数）の多寡を決定するために用いられる大当り図柄決定用乱数、メイン利得決定用乱数、及びサブ利得決定用乱数の構成及び抽出タイミングが示されている。当該説明については、先に行ったため、ここでは割愛する。
【００９５】
図１９（ｂ）には、大当り図柄決定用乱数に対応する各種図柄と大当りの種別に関して示されている。大当り図柄決定用バッファには、大当り図柄決定用乱数としての０乃至９までの１０個の乱数値が設定されている。さらに、該各乱数値に対応して、特図表示装置９にて表示される大当り図柄、及び演出図柄表示装置６にて表示される装飾図柄、及び当該図柄が表示された場合に実行される大当りの種別が設定されている。
例えば、大当り図柄決定用乱数が「０」の場合、大当り図柄は「図柄０」、装飾図柄は「７７７」であり、大当り種別は「直撃確変大当り」となっている。因みに、直撃確変大当りの場合は、後述する利得選択フラグや、第１ゲート１８或いは第２ゲート１９の何れのゲートを遊技球が通過したか否か、に関係なく、大当り遊技状態のラウンド数を１６Ｒとし、時短回数を１００回とすることが無条件に決定される大当り種別である。
また、大当り図柄決定用乱数が「１」乃至「９」の場合、大当り図柄は「図柄１」乃至「図柄９」となる。
また、大当り図柄が「図柄１」及び「図柄２」の場合、装飾図柄は「３３３」となり、「図柄３」及び「図柄４」の場合は「５５５」となり、「図柄５」乃至「図柄７」の場合は「２２２」となり、「図柄８」及び「図柄９」の場合は「４４４」とななる。
さらに、装飾図柄が「３３３」或いは「５５５」の場合、大当り種別は当否抽選の抽選確率が高確率である確変大当りとなり、「２２２」或いは「４４４」の場合、大当り種別は当否抽選の抽選確率が低確率である通常大当りとなる。
【００９６】
次に、図１９（ｃ）を参照して、利得選択フラグが０の場合に用いる各種選択テーブルの種別について説明する。後述する本実施例の「ラウンド数決定ゲーム中」において、遊技球が第１ゲート１８を通過した場合、ラウンド数の決定に際しては、大当り図柄が「図柄０」乃至「図柄９」の何れの図柄であっても、ラウンド数選択テーブル００を用いる。同じく時短回数の決定に際しては、大当り図柄が「図柄０」の場合、サブ利得選択テーブル２０を用い、大当り図柄が「図柄１」乃至「図柄９」の場合、サブ利得選択テーブル２２を用いる。また、遊技球が第２ゲート１９を通過した場合、ラウンド数の決定に際しては、大当り図柄が「図柄０」乃至「図柄９」の何れの図柄であっても、ラウンド数選択テーブル０１を用いる。同じく時短回数の決定に際しては、大当り図柄が「図柄０」の場合、サブ利得選択テーブル２０を用い、大当り図柄が「図柄１」乃至「図柄９」の場合、サブ利得選択テーブル２２を用いる。
【００９７】
次に、図１９（ｄ）を参照して、利得選択フラグが１の場合に用いる各種選択テーブルの種別について説明する。後述する本発明の「時短回数決定ゲーム中」において、遊技球が第１ゲート１８を通過した場合、ラウンド数の決定に際しては、大当り図柄が「図柄０」乃至「図柄９」の何れの図柄であっても、ラウンド数選択テーブル１０を用いる。同じく時短回数の決定に際しては、大当り図柄が「図柄０」の場合、サブ利得選択テーブル２１を用い、大当り図柄が「図柄１」乃至「図柄９」の場合、サブ利得選択テーブル２３を用いる。また、遊技球が第２ゲート１９を通過した場合、ラウンド数の決定に際しては、大当り図柄が「図柄０」乃至「図柄９」の何れの図柄であっても、ラウンド数選択テーブル１１を用いる。同じく時短回数の決定に際しては、大当り図柄が「図柄０」の場合、サブ利得選択テーブル２１を用い、大当り図柄が「図柄１」乃至「図柄９」の場合、サブ利得選択テーブル２３を用いる。
【００９８】
次に、上述した各種選択テーブルについて、図２０を参照して説明する。
図２０（ａ）には、ラウンド数選択テーブル００の設定内容を示した。図示のとおり、大当り図柄決定用乱数が０の場合にはラウンド数は１６ラウンドが選択され、１乃至９の場合には１０ラウンドが選択される。
図２０（ｂ）には、ラウンド数選択テーブル０１の設定内容を示した。図示のとおり、大当り図柄決定用乱数が０の場合には、メイン利得決定用乱数が０乃至９すなわちメイン利得決定用乱数の値に関係なく、ラウンド数は１６ラウンドが選択される。また、大当り図柄決定用乱数が１乃至９の場合であって且つ、メイン利得決定用乱数が、０、２、４、６、８の場合には、ラウンド数は４ラウンドが選択される。さらに、大当り図柄決定用乱数が１乃至９の場合であって且つ、メイン利得決定用乱数が、１、３、５、７、９の場合には、ラウンド数は１６ラウンドが選択される。
【００９９】
すなわち、利得選択フラグが０つまりラウンド数を選択決定する場合、第１ゲート１８を通過した場合に参照されるラウンド数選択テーブル００と、第２ゲート１９を通過した場合に参照されるラウンド数選択テーブル０１と、を比較すると、利得態様としてのラウンド数の選択率が異なるように構成されている。
便宜上、直撃確変大当りとなる大当り図柄決定用乱数が０の場合を除外して、つまり大当り図柄決定用乱数が１乃至９の場合で詳述する。ラウンド数は、４ラウンド、１０ラウンド、及び１６ラウンドが設けられている。ラウンド数選択テーブル００において、各ラウンド数の選択率は、４ラウンドが０％、１０ラウンドが１００％、１６ラウンドが０％となる。また、ラウンド数選択テーブル０１において、各ラウンド数の選択率は、４ラウンドが５０％、１０ラウンドが０％、１６ラウンドが５０％となる。このように、第１ゲート１８と第２ゲート１９は、遊技球の通過に基づいて決定される大当り遊技状態におけるラウンド数に関して、選択率が各々異なるように構成されている。
また、本実施例では、ラウンド数選択テーブル００とラウンド数選択テーブル０１において、大当り図柄決定用乱数が０の場合の１６ラウンドを除外すると、双方のテーブルに共通のラウンド数が設定されていないが、これに限らず、双方に共通のラウンド数を設定し、これの選択率を異なるようにしても無論構わない。例えば、ラウンド数選択テーブル０１に１０ラウンドを付加して設定しても良い。つまり、メイン利得決定用乱数が０、２、４、６の場合は４ラウンド、１と８の場合は１０ラウンド、３、５、７、９の場合は１６ラウンドと設定する。これにより、ラウンド数選択テーブル００では１０ラウンドが選択される選択率は１００％であるのに対して、ラウンド数選択テーブル０１で１０ラウンドが選択される選択率は２０％となり、異なる選択率となる。後述する時短回数選択テーブル１０、及び１１においても、同様の構成を許容するものである。
【０１００】
図２０（ｃ）には、時短回数選択テーブル１０の設定内容を示した。図示のとおり、大当り図柄決定用乱数が０の場合には時短回数は１００回が選択され、１乃至９の場合には５０回が選択される。
図２０（ｄ）には、時短回数選択テーブル１１の設定内容を示した。図示のとおり、大当り図柄決定用乱数が０の場合には、メイン利得決定用乱数が０乃至９すなわちメイン利得決定用乱数の値に関係なく、時短回数は１００回が選択される。また、大当り図柄決定用乱数が１乃至９の場合であって且つ、メイン利得決定用乱数が、０、２、４、６、８の場合には、時短回数は１０回が選択される。さらに、大当り図柄決定用乱数が１乃至９の場合であって且つ、メイン利得決定用乱数が、１、３、５、７、９の場合には、時短回数は１００回が選択される。
【０１０１】
すなわち、利得選択フラグが１つまり時短回数を選択決定する場合、第１ゲート１８を通過した場合に参照される時短回数選択テーブル１０と、第２ゲート１９を通過した場合に参照される時短回数選択テーブル１１と、を比較すると、利得態様としての時短回数の選択率が異なるように構成されている。
便宜上、直撃確変大当りとなる大当り図柄決定用乱数が０の場合を除外して、つまり大当り図柄決定用乱数が１乃至９の場合で詳述する。時短回数は、１０回、５０回、及び１００回が設けられている。時短回数選択テーブル１０において、各時短回数の選択率は、１０回が０％、５０回が１００％、１００回が０％となる。また、時短回数選択テーブル１１において、各時短回数の選択率は、１０回が５０％、５０回が０％、１００回が５０％となる。このように、第１ゲート１８と第２ゲート１９は、遊技球の通過に基づいて決定される大当り遊技状態終了後の時短遊技状態における時短回数に関して、選択率が各々異なるように構成されている。
なお、このように例えば時短回数が５０回のように、一方の選択率が０％で、他方の選択率が１００％という場合も、本発明の選択率が各々異なる状態に含まれる。
【０１０２】
図２０（ｅ）には、サブ利得選択テーブル２０の設定内容を示した。図示のとおり、大当り図柄決定用乱数が０であり、且つサブ利得決定用乱数が０乃至８の場合には時短回数は１００回が選択される。
図２０（ｆ）には、サブ利得選択テーブル２１の設定内容を示した。図示のとおり、大当り図柄決定用乱数が０であり、且つサブ利得決定用乱数が０乃至８の場合にはラウンド数は１６ラウンドが選択される。
図２０（ｇ）には、サブ利得選択テーブル２２の設定内容を示した。図示のとおり、大当り図柄決定用乱数が１乃至９であり、且つサブ利得決定用乱数が０、３、６の場合には時短回数は１０回が選択され、サブ利得決定用乱数が１、４、７の場合には時短回数は５０回が選択され、サブ利得決定用乱数が２、５、８の場合には時短回数は１００回が選択される。
図２０（ｈ）には、サブ利得選択テーブル２３の設定内容を示した。図示のとおり、大当り図柄決定用乱数が１乃至９であり、且つサブ利得決定用乱数が０、３、６の場合にはラウンド数は４ラウンドが選択され、サブ利得決定用乱数が１、４、７の場合にはラウンド数は１０ラウンドが選択され、サブ利得決定用乱数が２、５、８の場合にはラウンド数は１６ラウンドが選択される。
【０１０３】
このように、本発明の「ラウンド数決定ゲーム中」や「時短回数決定ゲーム中」には、ラウンド数や時短回数を決定するに際して、各種選択テーブルが予め設定されており、これに基づいてラウンド数や時短回数の振り分けが行われる。当該振り分けの内容を、図２１に示した。なお、大当り図柄が「図柄０」の場合には、利得選択フラグ及び遊技球が通過したゲートの種別に拘わらず、ラウンド数は１６ラウンドが設定され、時短回数は１００回が設定されるようになっている。
【０１０４】
図２１（ａ）を参照して、利得選択フラグが０の場合の振り分けについて説明する。本発明の「ラウンド数決定ゲーム中」において、遊技球が第１ゲート１８を通過した場合、且つ図柄１乃至図柄９が表示されるとき、何れも選択されるラウンド数は１０ラウンドとなる。一方、時短回数は、１０回、５０回、及び１００回が各々約３３．３％の割合で振り分けられる。また、「ラウンド数決定ゲーム中」において、遊技球が第２ゲート１９を通過した場合、且つ図柄１乃至図柄９が表示されるときのラウンド数は、５０％は１６ラウンド、５０％は４ラウンドが選択される。一方、時短回数は、１０回、５０回、及び１００回が各々約３３．３％の割合で振り分けられる。
【０１０５】
図２１（ｂ）を参照して、利得選択フラグが１の場合の振り分けについて説明する。本発明の「時短回数決定ゲーム中」において、遊技球が第１ゲート１８を通過した場合、且つ図柄１乃至図柄９が表示されるとき、何れも選択される時短回数は５０回となる。一方、ラウンド数は、４ラウンド、１０ラウンド、及び１６ラウンドが各々約３３．３％の割合で振り分けられる。また、「時短回数決定ゲーム中」において、遊技球が第２ゲート１９を通過した場合、且つ図柄１乃至図柄９が表示されるときの時短回数は、５０％は１００回、５０％は１０回が選択される。一方、ラウンド数は、４ラウンド、１０ラウンド、及び１６ラウンドが各々約３３．３％の割合で振り分けられる。
【０１０６】
このように一般的な弾球遊技機同様、本実施例の大当り遊技状態は、ラウンド数に応じて入賞数ひいては獲得出来る賞球数、つまり本発明の所定利益が異なる複数種類の大当り遊技状態を備えている。また、本実施例の時短遊技状態は、時短回数によって換算された本発明の所定期間が異なる複数種類の時短遊技状態（本発明の有利遊技状態）を備えている。
【０１０７】
次に、上述したような各種選択テーブル等を用いることで本発明の獲得利得の利得態様としてのラウンド数や時短回数を決定する本発明の要部である大当り決定処理１について、図１１乃至図１３を参照して説明する。
【０１０８】
図１１乃至図１３は、本実施例の主制御装置８０が実行する大当り決定処理１のフローチャートである。上述したように、主制御装置８０は、２ｍｓの定時割り込み毎に当該処理を実行する。
先ず、主制御装置８０は、Ｓ７１０において、条件装置が作動中であるか否かを判定する。すなわち、Ｓ４３５の条件装置作動開始処理にて条件装置が作動開始されたか、つまり大当りフラグに１が設定されているか否かを判定する。否定判定であれば（Ｓ７１０：ｎｏ）、本処理を終了し、肯定判定であれば（Ｓ７１０：ｙｅｓ）、Ｓ７１５に処理を移行する。
【０１０９】
次に、主制御装置８０は、Ｓ７１５において、役物連続作動装置が作動中であるか否かを判定する。すなわち、大当り遊技状態が実行中か否かを判定する。肯定判定であれば（Ｓ７１５：ｙｅｓ）、本処理を終了し、否定判定であれば（Ｓ７１５：ｎｏ）、Ｓ７４０に処理を移行する。
【０１１０】
主制御装置８０は、Ｓ７４０において、利得種別変更期間が終了したか否かを判定する。
本実施例の利得種別変更期間は、条件装置が作動したことにより開始し（図１７（ｂ）及び（ｃ）を参照。図には「選択期間」と示す）、ラウンド数か時短回数を遊技者が選択可能な期間である。当該選択は、図１にて説明したラウンド数指定ボタン４１或いは時短回数指定ボタン４３を遊技者が操作することによって、選択可能であり、当該ラウンド数指定ボタン４１及び時短回数指定ボタン４３は、本発明の操作手段を構成する。
【０１１１】
本実施例では、振分装置１６による振り分け結果（第１ゲート１８或いは第２ゲート１９の何れを遊技球が通過したか）に基づいて決定する獲得利得の利得態様を、ラウンド数から時短回数に、或いは時短回数からラウンド数にと、遊技者の操作手段の操作結果に応じて変化（変更）可能に構成している。これにより遊技者は、利得種別変更期間中であれば、獲得利得の種別を任意に変更することが出来る。なお、本実施例では、利得種別変更期間は、例えば１０ｓｅｃが設定されている。
主制御装置８０は、Ｓ７４０の判定結果が、肯定判定であれば（Ｓ７４０：ｙｅｓ）、Ｓ７６０に処理を移行し、否定判定であれば（Ｓ７４０：ｎｏ）、Ｓ７４５に処理を移行する。
【０１１２】
主制御装置８０は、Ｓ７４５において、利得種別変更操作があったか否かを判定する。否定判定であれば（Ｓ７４５：ｎｏ）、本処理を終了し、肯定判定であれば（Ｓ７４５：ｙｅｓ）、Ｓ７５０に処理を移行する。
【０１１３】
主制御装置８０は、Ｓ７５０において、ラウンド数指定ボタン４１が操作された場合は利得選択フラグに０を設定し、時短回数指定ボタン４３が操作された場合には利得選択フラグに１を設定する処理を実行して、本処理を終了する。
【０１１４】
主制御装置８０は、Ｓ７６０において、振分装置１６の振分部材１７に係る駆動制御処理を実行し、Ｓ７６５に処理を移行する。
【０１１５】
図１２を参照して、主制御装置８０は、Ｓ７６５において、利得選択フラグが０か否か、すなわち振分装置によって決定する獲得利得の利得態様がラウンド数であるか否か、を判定する。否定判定であれば（Ｓ７６５：ｎｏ）、Ｓ８０５に処理を移行し、肯定判定であれば（Ｓ７６５：ｙｅｓ）、Ｓ７７０に処理を移行する。
【０１１６】
Ｓ７４５、Ｓ７５０、及びＳ７６５は、ラウンド数指定ボタン４１及び時短回数指定ボタン４３の操作に基づいて、第１ゲート１８或いは第２ゲート１９を遊技球が通過したことにより利得態様が決定される獲得利得の種別を、大当り遊技状態から時短遊技状態へ、また、時短遊技状態から大当り遊技状態へ変更する処理であって、本発明の利得種別変更手段である。
【０１１７】
主制御装置８０は、Ｓ７７０において、第１ゲートＳＷ１８ａが遊技球を検知したか否か、を判定する。肯定判定であれば（Ｓ７７０：ｙｅｓ）、Ｓ７７５に処理を移行し、否定判定であれば（Ｓ７７０：ｎｏ）、Ｓ７８５に処理を移行する。
【０１１８】
主制御装置８０は、Ｓ７７５において、ラウンド数選択テーブル００（図１９（ｃ）、図２０（ａ）参照）に基づいて大当り遊技状態におけるラウンド数を選択する処理を実行し、Ｓ７８０に処理を移行する。
【０１１９】
主制御装置８０は、Ｓ７８０において、サブ利得選択テーブル２０又は２２（図１９（ｃ）、図２０（ｅ）、（ｇ）参照）に基づいて大当り遊技状態終了後の時短回数を選択する処理を実行し、Ｓ８４０に処理を移行する。
すなわち、今回の条件装置作動の契機となった大当り図柄が「図柄０」、すなわち直撃確変大当りの場合にはサブ利得選択テーブル２０に基づき、また、大当り図柄が「図柄０」以外の「図柄１」乃至「図柄９」の場合にはサブ利得選択テーブル２２に基づいてサブ利得としての時短回数を選択する。
【０１２０】
主制御装置８０は、Ｓ７８５において、第２ゲートＳＷ１９ａが遊技球を検知したか否か、を判定する。肯定判定であれば（Ｓ７８５：ｙｅｓ）、Ｓ７９０に処理を移行し、否定判定であれば（Ｓ７８５：ｎｏ）、本処理を終了する。
【０１２１】
主制御装置８０は、Ｓ７９０において、メイン利得決定用乱数を抽出する処理を実行し、Ｓ７９５に処理を移行する。
メイン利得決定用乱数は、第２ゲートＳＷ１９ａの検知信号発生に基づいて抽出されると共に、利得選択フラグが０である当該条件においてメイン利得であるラウンド数を、４ラウンドと１６ラウンドの何れとするかを抽選するための乱数である。
【０１２２】
主制御装置８０は、Ｓ７９５において、ラウンド数選択テーブル０１（図１９（ｃ）、図２０（ｂ）参照）に基づいて大当り遊技状態におけるラウンド数を選択する処理を実行し、Ｓ８００に処理を移行する。
【０１２３】
主制御装置８０は、Ｓ８００において、サブ利得選択テーブル２０又は２２（図１９（ｃ）、図２０（ｅ）、（ｇ）参照）に基づいて大当り遊技状態終了後の時短回数を選択する処理を実行し、Ｓ８４０に処理を移行する。
すなわち、今回の条件装置作動の契機となった大当り図柄が「図柄０」、すなわち直撃確変大当りの場合にはサブ利得選択テーブル２０に基づき、また、大当り図柄が「図柄０」以外の「図柄１」乃至「図柄９」の場合にはサブ利得選択テーブル２２に基づいてサブ利得としての時短回数を選択する。
【０１２４】
図１３を参照して、主制御装置８０は、Ｓ７６５にて否定判定（Ｓ７６５：ｎｏ）、すなわち利得選択フラグが０では無く１で振分装置１６における遊技球の帰趨によって獲得利得の利得態様をラウンド数ではなく時短回数とする場合、Ｓ８０５において、第１ゲートＳＷ１８ａが遊技球を検知したか否か、を判定する。肯定判定であれば（Ｓ８０５：ｙｅｓ）、Ｓ８１０に処理を移行し、否定判定であれば（Ｓ８０５：ｎｏ）、Ｓ８２０に処理を移行する。
【０１２５】
主制御装置８０は、Ｓ８１０において、時短回数選択テーブル１０（図１９（ｄ）、図２０（ｃ）参照）に基づいて大当り遊技状態終了後における時短回数を選択する処理を実行し、Ｓ８１５に処理を移行する。
【０１２６】
主制御装置８０は、Ｓ８１５において、サブ利得選択テーブル２１又は２３（図１９（ｄ）、図２０（ｆ）、（ｈ）参照）に基づいて大当り遊技状態におけるラウンド数を選択する処理を実行し、Ｓ８４０に処理を移行する。
すなわち、今回の条件装置作動の契機となった大当り図柄が「図柄０」、すなわち直撃確変大当りの場合にはサブ利得選択テーブル２１に基づき、また、大当り図柄が「図柄０」以外の「図柄１」乃至「図柄９」の場合にはサブ利得選択テーブル２３に基づいてサブ利得としてのラウンド数を選択する。
【０１２７】
主制御装置８０は、Ｓ８２０において、第２ゲートＳＷ１９ａが遊技球を検知したか否か、を判定する。肯定判定であれば（Ｓ８２０：ｙｅｓ）、Ｓ８２５に処理を移行し、否定判定であれば（Ｓ８２０：ｎｏ）、本処理を終了する。
【０１２８】
主制御装置８０は、Ｓ８２５において、メイン利得決定用乱数を抽出する処理を実行し、Ｓ８３０に処理を移行する。
メイン利得決定用乱数は、第２ゲートＳＷ１９ａの検知信号発生に基づいて抽出されると共に、利得選択フラグが１である当該条件においてメイン利得である時短回数を、１０回と１００回の何れとするかを抽選するための乱数である。
【０１２９】
主制御装置８０は、Ｓ８３０において、時短回数選択テーブル１１（図１９（ｄ）、図２０（ｄ）参照）に基づいて大当り遊技状態終了後における時短回数を選択する処理を実行し、Ｓ８３５に処理を移行する。
【０１３０】
主制御装置８０は、Ｓ８３５において、サブ利得選択テーブル２１又は２３（図１９（ｄ）、図２０（ｆ）、（ｈ）参照）に基づいて大当り遊技状態におけるラウンド数を選択する処理を実行し、Ｓ８４０に処理を移行する。
すなわち、今回の条件装置作動の契機となった大当り図柄が「図柄０」、すなわち直撃確変大当りの場合にはサブ利得選択テーブル２１に基づき、また、大当り図柄が「図柄０」以外の「図柄１」乃至「図柄９」の場合にはサブ利得選択テーブル２３に基づいてサブ利得としてのラウンド数を選択する。
【０１３１】
図１２に戻って、主制御装置８０は、Ｓ８４０において、ラウンド数及び時短回数を設定する処理を実行し、Ｓ８４５に処理を移行する。すなわち、上述したＳ７７５、Ｓ７８０、Ｓ７９５、Ｓ８００、Ｓ８１０、Ｓ８１５、Ｓ８３０、或いはＳ８３５において選択したラウンド数或いは時短回数を所定の記憶バッファに記憶設定する。
【０１３２】
主制御装置８０は、Ｓ８４５において、役物連続作動装置の作動を開始する処理を実行し、本処理を終了して、特別遊技処理に移行する。
Ｓ８４５は、第１ゲート１８或いは第２ゲート１９を遊技球が通過したときに、役物連続作動装置の作動を開始する、本発明の役物連続作動手段である。
【０１３３】
このように本実施例の大当り決定処理においては、大当り図柄が表示されることで条件装置が作動を開始すると、遊技者の操作手段の操作に基づいて、大当り遊技状態（の利得態様であるラウンド数）か、時短遊技状態（の利得態様である時短回数）を変更設定し、該変更設定された結果と、すなわち大当り遊技状態或いは時短遊技状態かと、第１ゲート１８或いは第２ゲート１９の何れを遊技球が通過したかの結果に基づいて、大当り遊技状態が変更設定されているならばラウンド数を、また時短遊技状態が変更設定されているならば時短回数を、選択する構成となっている。換言すれば、遊技者の操作によって変化（決定）した獲得利得について、該獲得利得の利得態様の多寡を、振分装置１６における遊技球の帰趨に基づいて決定するようになっている。
次に、大当り決定処理に続いて実行する特別遊技処理について説明する。
【０１３４】
特別遊技処理の概要は図１４〜１６のようになっており、主制御装置８０は、役物連続作動装置が作動中か否かを大当りフラグに基づいて判断する（Ｓ５００）。役物連続作動装置が作動中なら（Ｓ５００：ｙｅｓ）、大入賞口２０が開放中か否かを判断する（Ｓ５０５）。大入賞口２０の開放中ではない場合は（Ｓ５０５：ｎｏ）、ラウンド間のインターバル中により大入賞口２０が閉鎖しているのか判断する（Ｓ５１０）。インターバル中でもない場合は（Ｓ５１０：ｎｏ）、大当り終了演出中であるか判断する（Ｓ５１５）。これも否定判断の場合は（Ｓ５１５：ｎｏ）、大当り遊技を開始する演出に要する時間が経過したか否かを判定する（Ｓ５２０）。大当り開始演出時間が経過した場合は（Ｓ５２０：ｙｅｓ）、大入賞口開放処理（Ｓ５２５）を行なって当処理を終了（リターン）する。大当り開始演出時間が経過していない場合は（Ｓ５２０：ｎｏ）、そのまま当処理を終了する。
【０１３５】
Ｓ５０５で大入賞口２０が開放中であると判定された場合は、図１５のＳ５５０に進み、大入賞口２０に１０個入賞したか否かを判定する。なお、本実施例では１０個だが、９個、８個でもよく、特に限定するものではない。なお、大当り決定処理にて開放されたシャッターは、大当り遊技中も開放されたままとなり、開放された側のゲートを通過して出口１６ｂから流出した遊技球が大入賞口２０に向かう。また、シャッターが開放されなかった側の保留部からあふれ出た遊技球も大入賞口２０に入賞する可能性がある。大入賞口２０に１０個入賞した場合（Ｓ５５０：ｙｅｓ）にはＳ５６０に進み、大入賞口閉鎖処理を行う。このように大入賞口２０が閉鎖されることとなる大入賞口２０への入球数（ここでは１０個）を規定数という。そして大当りインターバル処理（Ｓ５６５）を行なって、特別遊技処理を終了する。大入賞口２０に１０個入賞していない場合（Ｓ５５０：ｎｏ）にはＳ５５５に進み、大入賞口２０の開放時間が終了したか否かを判定する。本実施例では、各ラウンドの最大開放時間は２９秒に設定している。無論、この秒数に限定するものではない。開放時間が終了した場合（Ｓ５５５：ｙｅｓ）には、Ｓ５６０に合流し、終了していない場合（Ｓ５５５：ｎｏ）は特別遊技処理を終了する。
【０１３６】
図１４のＳ５１０でインターバル中であると判定された場合は、図１５のＳ５７０に進み、大当りインターバル時間が経過したか否かを判定する。インターバル時間が経過している場合（Ｓ５７０：ｙｅｓ）は、直前に大入賞口２０が開いていたのが最終ラウンドか否かを判定する（Ｓ５７５）。最終ラウンドであれば（Ｓ５７５：ｙｅｓ）、大当り終了演出処理（Ｓ５８０）を行い、特別遊技処理を終了する。最終ラウンドでなければ（Ｓ５７５：ｎｏ）、再び大入賞口２０を開放する処理（Ｓ５８５）を行い、特別遊技処理を終了する。なお、大当りインターバル時間が経過していないと判定された場合（Ｓ５７０：ｎｏ）には、そのまま特別遊技処理を終了する。なお、大入賞口２０を開放・閉鎖する処理においては、サブ統合制御装置８３にも信号を送信する。サブ統合制御装置８３は、その信号に基づいて、現在のラウンドを把握し、該ラウンドに応じた演出を行なう。
【０１３７】
図１４のＳ５１５で大当りの終了演出中であると判定された場合は、図１６のＳ６００に進み、大当り終了演出時間が経過したか否かを判定する。大当り終了演出時間が経過した場合には（Ｓ６００：ｙｅｓ）、役物連続作動装置の作動を停止し（Ｓ６０５）、条件装置の作動を停止する（Ｓ６１０）。そしてＳ６１５にて大当り終了後に確変状態に移行するか否かを判定し、肯定判断（Ｓ６１５：ｙｅｓ）なら確変回数設定処理（Ｓ６２０）を行なう。ここでは確変回数として１００００回が設定される。そして確変フラグに１をセット（Ｓ６２５）し、Ｓ６３０に移行する。Ｓ６１５が否定判断の場合は、そのままＳ６３０に移行する。Ｓ６３０では大当り終了後に時短状態（時短遊技状態とも呼称する）に移行するか否かを判定する。肯定判断の場合（Ｓ６３０：ｙｅｓ）はＳ６３５に移行し、時短回数設定処理を行なう。そして時短フラグに１をセット（Ｓ６４０）し、Ｓ６４５に移行する。Ｓ６３０が否定判断された場合は、そのままＳ６４５に移行する。
【０１３８】
このように、Ｓ６３０、Ｓ６３５、及びＳ６４０の処理によって、大当り遊技状態の終了後には、設定された時短回数（本発明の所定期間）に亘って、時短遊技状態が実行される。時短遊技状態は、上述したように、通常遊技状態と比較して、遊技者に有利な遊技状態である。したがって、Ｓ６３０、Ｓ６３５、及びＳ６４０の処理は、本発明の有利遊技状態制御手段を構成する。
【０１３９】
なお、このような有利な遊技状態が発生することは、遊技者にとって利得である。したがって、大当り遊技状態と併せて、時短遊技状態は、本発明の獲得利得である。そして、大当り遊技状態において、ラウンド数は利得の多寡（有り様）を示す本発明の利得態様であり、同じく時短遊技状態において、時短回数が利得の多寡（有り様）を示す本発明の利得態様である。
【０１４０】
そして、大当り終了コマンドをサブ統合制御装置８３に送信して（Ｓ６４５）、状態指定コマンド送信処理を実行（Ｓ６５０）し、特別遊技処理を終了（リターン）する。状態指定コマンド送信処理（Ｓ６５０）の内容は、Ｓ４８０の処理と同様であるが、Ｓ６５０では特に、振分フラグを０にし、稼動されたシャッター（第１シャッター４７又は第２シャッター４８）を閉鎖する処理（具体的には、対応する第１シャッターソレノイド４７ｂ又は第２シャッターソレノイド４８ｂを制御）も行なう。Ｓ６００にて大当り終了演出時間が経過していないと判断された場合には、そのまま特別遊技処理を終了する。図１４で役物連続作動装置が作動していないと判定された場合（Ｓ５００：ｎｏ）も特別遊技処理を終了する。
【０１４１】
すなわち、本実施例の特別遊技処理は、条件装置が作動した後で役物連続作動装置が作動したことに基づいて大入賞口を複数回だけ開放して予め定められた所定利益を遊技者に供与する大当り遊技状態とする大当り遊技制御手段である。
【０１４２】
続いて、図１７及び図１８を参照して、本実施例の大当り決定処理実行時における演出表示態様について説明する。図１７及び図１８は、本実施例のサブ統合制御装置８３が、大当り決定処理時に演出図柄表示装置６において実行する画像表示の表示態様図である。
特別図柄の変動表示が、大当りを示唆する何れかの大当り図柄で確定表示されるのに伴って、演出図柄表示装置６では前記大当り図柄に対応して装飾図柄が確定表示される。図１７（ａ）では、装飾図柄「３３３」が確定表示されると共に「確変大当り！！」の報知表示が為される。当該状態は、大当り図柄として「図柄１」又は「図柄２」（図１９（ｂ）参照）が選択されて確定表示された状態を示している。なお、このときＳ４３５において条件装置の作動が開始されており、大当り遊技状態の開始条件は、役物連続作動装置の作動開始を待って成立する状態である。
【０１４３】
図１７（ｂ）のように、大当り決定処理１が開始されると、先ず利得種別変更期間（選択期間と図示）が開始され、獲得利得の利得態様であるラウンド数と時短回数の何れかを遊技者が選択可能となる。演出図柄表示装置６には、現時点が利得種別変更期間である旨を明示する「選択期間中」が表示される。また、本発明の操作手段としてのラウンド数指定ボタン４１及び時短回数指定ボタン４３が表示され、さらに「ラウンド数か、時短回数を選んでね」という表示によって何れかのボタンを操作することを促進する。
【０１４４】
遊技者の操作によって、例えばラウンド数が選択され、Ｓ７４０の判定処理にて利得種別変更期間が終了したと判定されると、図１７（ｃ）に示す態様の表示となる。すなわち、演出図柄表示装置６には、利得種別変更期間が終了した旨を明示する「選択期間終了」が表示される。また、選択操作結果の内容を、「ラウンド数に決定！！」と報知すると共に、併せてラウンド数指定ボタン４１を点滅表示することで選択操作された操作手段であることを明示する。
【０１４５】
遊技者の操作によって、例えばラウンド数が選択され、Ｓ７４０の判定処理にて利得種別変更期間が終了したと判定されると、図１７（ｃ）に示す態様の表示となる。すなわち、演出図柄表示装置６には、利得種別変更期間が終了した旨を明示する「選択期間終了」が表示される。また、選択操作結果の内容を、「ラウンド数に決定！！」と報知すると共に、併せてラウンド数指定ボタン４１を点滅表示することで選択操作された操作手段であることを明示する。なお、このとき、Ｓ７５０にて利得選択フラグに０が設定されている状態である。
【０１４６】
利得種別変更期間が終了すると、Ｓ７６０にて振分装置制御処理が実行され、振分部材１７が各々一定間隔で右振分態様、及び左振分態様に変化する。当該状態では、図１７（ｄ）に示すように、獲得利得の利得態様がラウンド数に決定されているため、「ラウンド数決定ゲーム中」であることが報知される。また、獲得利得の利得態様（ラウンド数）を任意に選択可能とするために、第１ゲート１８への振分ルートを明示した振分装置１６の図を表示している。併せて、第１ゲート１８を遊技球が通過した場合に獲得できるラウンド数が１０ラウンドである旨を「今なら１０ＲＧＥＴで安心」というコメント表示により報知している。これにより、現時点が如何なる振分態様であるかを遊技者が一目瞭然に判断可能としている。本実施例では、当該左振分態様に制御される期間に振分部材１６に入球させれば、遊技球を第１ゲート１８に通過させることが出来、１６ラウンドほど多くはないが、４ラウンドほど少なくもない、中庸な程度の１０ラウンドを確実に獲得可能となっている。
【０１４７】
上述した図１７（ｄ）の左振分態様が例えば５ｓｅｃ維持された後、右振分態様に切換わると、図１７（ｅ）の表示態様となる。図１７（ｄ）と同様に、現時点が如何なる振分態様であるかを遊技者が一目瞭然に判断可能とするために、「ラウンド数決定ゲーム中」であることが報知され、第２ゲート１９への振分ルートを明示した振分装置１６の図を表示している。併せて、第２ゲート１９を遊技球が通過した場合に獲得できるラウンド数が、抽選により４ラウンド或いは１６ラウンドとなる旨を「今なら４Ｒｏｒ１６の勝負！！」というコメント表示により報知している。本実施例では、当該右振分態様に制御される期間に振分部材１６に入球させれば、遊技球を第２ゲート１９に通過させることが出来る。この場合、第２ゲート１９を遊技球が通過したときに抽出する（Ｓ７９０）メイン利得決定用乱数に基づいて、抽選（図２０（ｂ）参照）により１６ラウンド或いは４ラウンドの何れかのラウンド数が決定される。
【０１４８】
図１７（ｅ）に示すラウンド数決定ゲーム中に第２ゲート１９を遊技球が通過すると、上述した抽選によってラウンド数が決定され（Ｓ７９５）、併せて時短回数が決定されると（Ｓ８００）、例えば図１７（ｆ）に示すような表示が実行される。
この場合は、抽選によりラウンド数が１６ラウンドに決定され、時短回数は１００回となった旨の報知が行われると共に役物連続作動装置が作動して大当り遊技状態が開始する旨の「大当たりスタート」の表示も行われる。
【０１４９】
次に、利得種別変更期間中に時短回数を選択した場合の表示態様例を、図１８（ａ）に示す。すなわち、演出図柄表示装置６には、利得種別変更期間が終了した旨を明示する「選択期間終了」が表示される。また、選択操作結果の内容を、「時短回数に決定！！」と報知すると共に、併せて時短回数指定ボタン４３を点滅表示することで選択操作された操作手段であることを明示する。なお、このとき、Ｓ７５０にて利得選択フラグに１が設定されている状態である。
【０１５０】
利得種別変更期間が終了すると、Ｓ７６０にて振分装置制御処理が実行され、振分部材１７が各々一定間隔で右振分態様、及び左振分態様に変化する。当該状態では、図１８（ｂ）に示すように、獲得利得の利得態様が時短回数に決定されているため、「時短回数決定ゲーム中」であることが報知される。また、獲得利得の利得態様（時短回数）を任意に選択可能とするために、第１ゲート１８への振分ルートを明示した振分装置１６の図を表示している。併せて、第１ゲート１８を遊技球が通過した場合に獲得できる時短回数が５０回である旨を「今なら時短５０回ＧＥＴで安心」というコメント表示により報知している。これにより、現時点が如何なる振分態様であるかを遊技者が一目瞭然に判断可能としている。本実施例では、当該左振分態様に制御される期間に振分部材１６に入球させれば、遊技球を第１ゲート１８に通過させることが出来、１００回ほど多くはないが、１０回ほど少なくもない、中庸な程度の５０回を確実に獲得可能となっている。
【０１５１】
上述した図１８（ｂ）の左振分態様が例えば５ｓｅｃ維持された後、右振分態様に切換わると、図１８（ｃ）の表示態様となる。図１８（ｂ）と同様に、現時点が如何なる振分態様であるかを遊技者が一目瞭然に判断可能とするために、「時短回数決定ゲーム中」であることが報知され、第２ゲート１９への振分ルートを明示した振分装置１６の図を表示している。併せて、第２ゲート１９を遊技球が通過した場合に獲得できる時短回数が、抽選により１０回或いは１００回となる旨を「今なら時短１０回ｏｒ１００回の勝負！！」というコメント表示により報知している。本実施例では、当該右振分態様に制御される期間に振分部材１６に入球させれば、遊技球を第２ゲート１９に通過させることが出来る。この場合、第２ゲート１９を遊技球が通過したときに抽出する（Ｓ８２５）メイン利得決定用乱数に基づいて、抽選（図２０（ｄ）参照）により１００回或いは１０回の何れかの時短回数が決定される。
【０１５２】
図１８（ｃ）に示す時短回数決定ゲーム中に第２ゲート１９を遊技球が通過すると、上述した抽選によって時短回数が決定され（Ｓ８３０）、併せてラウンド数が決定されると（Ｓ８３５）、例えば図１８（ｄ）に示すような表示が実行される。
この場合は、抽選により時短回数が１０回に決定され、ラウンド数は１６ラウンドとなった旨の報知が行われると共に役物連続作動装置が作動して大当り遊技状態が開始する旨の「大当たりスタート」の表示も行われる。
［第２実施例］
【０１５３】
次に、本発明の第２実施例について図２２〜２５を用いて説明する。なお、以下の説明では、第１実施例との相違点を主として説明し、共通の構成及び作用等については適宜割愛するものとする。詳しくは、両実施例が大当り決定処理において大きく相違するため、図２２乃至図２４を参照して本実施例の大当り決定処理２を説明し、当該大当り決定処理２を実行する際の表示態様について図２５を参照して説明するものとする。
【０１５４】
先ず、端的に相違点を説明すると、第１実施例は、振分装置１６における遊技球の帰趨により利得態様（ラウンド数或いは時短回数）の多寡を決定する獲得利得の種別（大当り遊技状態或いは時短遊技状態）に係る変化（変更）を遊技者の操作手段の操作に基づいて実行する構成となっていた。これに対して、第２実施例では、第１実施例の構成に加えて、前記獲得利得の種別に係る変化（変更）を、予め定められた所定時間が経過したことに基づいて、実行する構成を備えている点において相違する。詳述すると、前記所定時間に到達したことに起因して、獲得利得の種別を時短遊技状態から大当り遊技状態に変更するよう制御する。大当り遊技状態に獲得利得を変更することで、獲得利得の利得態様は時短回数からラウンド数に変更されるよう構成されている。以下、図２２乃至図２４を参照して、具体的な制御の流れを説明する。
【０１５５】
図２２乃至図２４は、第２実施例における主制御装置８０が実行する大当り決定処理２のフローチャートである。
主制御装置８０は、先ず、Ｓ１７００において、所定時間が経過したか否かを判定する。肯定判定であれば（Ｓ１７００：ｙｅｓ）、Ｓ１７０５に処理を移行し、否定判定であれば（Ｓ１７００：ｎｏ）、Ｓ１７１０に処理を移行する。
本実施例では、所定時間は遊技店の営業開始から起算して予定される営業終了する時刻の１５ｍｉｎ前の時刻までの時間となっている。例えば、午前９時から午後１０時４５分まで営業する遊技店において、午前８時に電源を立ち上げるとして、閉店の１５ｍｉｎ前の午後１０時３０分までの時間、すなわち１４時間３０分を所定時間とする。本実施例では、図示しないが、電源投入時から起動する計時タイマを備え、該計時タイマにより１４時間３０分に到達するか否かを、Ｓ１７００で判定する。要するに、大当り遊技状態終了後の時短遊技状態を消化するにあたり、時間的に充分な余裕があるとは言い難い、閉店間際のタイミングとなったか否かの判定を行うものである。
【０１５６】
主制御装置８０は、所定時間が経過したと判断したとき、Ｓ１７０５において、利得種別固定フラグに１を設定して、Ｓ１７１０に処理を移行する。
利得種別固定フラグは、１が設定されることによって、所定時間経過後に条件装置が作動した場合に、振分装置１６によって決定する獲得利得の利得態様を、大当り遊技状態のラウンド数に固定するためのフラグである。なお、利得種別固定フラグは、電源遮断時或いは電源投入直後において０に設定するように構成される。
【０１５７】
次いで、主制御装置８０は、Ｓ１７１０において、条件装置が作動中であるか否かを判定する。すなわち、Ｓ４３５の条件装置作動開始処理にて条件装置が作動開始されたか、つまり大当りフラグに１が設定されているか否かを判定する。否定判定であれば（Ｓ１７１０：ｎｏ）、本処理を終了し、肯定判定であれば（Ｓ１７１０：ｙｅｓ）、Ｓ１７１５に処理を移行する。
【０１５８】
次に、主制御装置８０は、Ｓ１７１５において、役物連続作動装置が作動中であるか否かを判定する。すなわち、大当り遊技状態が実行中か否かを判定する。肯定判定であれば（Ｓ１７１５：ｙｅｓ）、本処理を終了し、否定判定であれば（Ｓ１７１５：ｎｏ）、Ｓ１７２０に処理を移行する。
【０１５９】
主制御装置８０は、Ｓ１７２０において、利得種別固定フラグが１であるか否かを判定する。すなわち、当該条件装置の作動以前に所定時間が経過したか否かを判定する。換言すれば、当該大当りが所定時間を経過してから発生した閉店間際の大当りであるか否かを判定する。肯定判定であれば（Ｓ１７２０：ｙｅｓ）、Ｓ１７３０に処理を移行し、否定判定であれば（Ｓ１７２０：ｎｏ）、Ｓ１７２５に処理を移行する。
【０１６０】
主制御装置８０は、Ｓ１７２５において、利得種別変更フラグに１を設定して、Ｓ１７３０に処理を移行する。すなわち、条件装置が作動したタイミングで所定時間が経過していなければ利得種別変更フラグに１が設定される。
利得種別変更フラグは、１が設定されることで、条件装置が作動したタイミングで所定時間が経過していない限り、それ以降に所定時間が経過して利得種別固定フラグに１が設定されたとしても、これに優先して遊技者に因る任意の利得種別変更を有効とするためのフラグである。
【０１６１】
主制御装置８０は、Ｓ１７３０において、利得種別変更フラグが１であるか否かを判定する。肯定判定であれば（Ｓ１７３０：ｙｅｓ）、すなわち遊技者の操作に因り獲得利得の利得態様を変更するならば、Ｓ１７４０に処理を移行し、否定判定であれば（Ｓ１７３０：ｎｏ）、すなわち所定時間の経過により獲得利得の利得態様を大当り遊技状態のラウンド数に固定するならば、Ｓ１７３５に処理を移行する。なお、肯定判定であれば（Ｓ１７３０：ｙｅｓ）、利得種別変更期間を開始する処理を行う。
【０１６２】
主制御装置８０は、Ｓ１７３５において、利得種別固定報知処理（図２５（ｂ）参照）を実行して、Ｓ１７５５に処理を移行する。なお、当該Ｓ１７３５において、獲得利得の利得態様を大当り遊技状態のラウンド数に固定するため、利得選択フラグに０を設定する処理を併せて行う。
【０１６３】
主制御装置８０は、Ｓ１７４０において、利得種別変更期間が終了したか否かを判定する。
本実施例の利得種別変更期間は、条件装置が作動したことにより開始し（図１７（ｂ）及び（ｃ）を参照。図には「選択期間」と示す）、ラウンド数か時短回数を遊技者が選択可能な期間である。当該選択は、図１にて説明したラウンド数指定ボタン４１或いは時短回数指定ボタン４３を遊技者が操作することによって、選択可能である。
【０１６４】
本実施例では、振分装置１６による振り分け結果（第１ゲート１８或いは第２ゲート１９の何れを遊技球が通過したか）に基づいて決定する獲得利得の利得態様を、ラウンド数から時短回数に、或いは時短回数からラウンド数にと、遊技者の操作手段の操作結果に応じて変化（変更）可能に構成している。これにより遊技者は、利得種別変更期間中であれば、獲得利得の利得態様を任意に変更することが出来る。なお、本実施例では、利得種別変更期間は、例えば１０ｓｅｃが設定されている。
主制御装置８０は、Ｓ１７４０の判定結果が、肯定判定であれば（Ｓ１７４０：ｙｅｓ）、Ｓ１７５５に処理を移行し、否定判定であれば（Ｓ１７４０：ｎｏ）、Ｓ１７４５に処理を移行する。
【０１６５】
主制御装置８０は、Ｓ１７４５において、利得種別変更操作があったか否かを判定する。否定判定であれば（Ｓ１７４５：ｎｏ）、本処理を終了し、肯定判定であれば（Ｓ１７４５：ｙｅｓ）、Ｓ１７５０に処理を移行する。
【０１６６】
主制御装置８０は、Ｓ１７５０において、ラウンド数指定ボタン４１が操作された場合は利得選択フラグに０を設定し、時短回数指定ボタン４３が操作された場合には利得選択フラグに１を設定する処理を実行して、本処理を終了する。
【０１６７】
主制御装置８０は、Ｓ１７５５において、振分装置１６の振分開始時刻が到来したか否かを判定する。否定判定であれば（Ｓ１７５５：ｎｏ）、本処理を終了し、肯定判定であれば（Ｓ１７５５：ｙｅｓ）、Ｓ１７６０に処理を移行する。
【０１６８】
主制御装置８０は、Ｓ１７６０において、振分装置１６の振分部材１７に係る駆動制御処理を実行し、Ｓ１７６５に処理を移行する。
【０１６９】
図２３を参照して、主制御装置８０は、Ｓ１７６５において、利得選択フラグが０か否か、すなわち振分装置によって決定する獲得利得の利得態様がラウンド数であるか否か、を判定する。否定判定であれば（Ｓ１７６５：ｎｏ）、Ｓ１８０５に処理を移行し、肯定判定であれば（Ｓ１７６５：ｙｅｓ）、Ｓ１７７０に処理を移行する。
【０１７０】
主制御装置８０は、Ｓ１７７０において、第１ゲートＳＷ１８ａが遊技球を検知したか否か、を判定する。肯定判定であれば（Ｓ１７７０：ｙｅｓ）、Ｓ１７７５に処理を移行し、否定判定であれば（Ｓ１７７０：ｎｏ）、Ｓ１７８５に処理を移行する。
【０１７１】
主制御装置８０は、Ｓ１７７５において、ラウンド数選択テーブル００（図１９（ｃ）、図２０（ａ）参照）に基づいて大当り遊技状態におけるラウンド数を選択する処理を実行し、Ｓ１７８０に処理を移行する。
【０１７２】
主制御装置８０は、Ｓ１７８０において、サブ利得選択テーブル２０又は２２（図１９（ｃ）、図２０（ｅ）、（ｇ）参照）に基づいて大当り遊技状態終了後の時短回数を選択する処理を実行し、Ｓ１８４０に処理を移行する。
すなわち、今回の条件装置作動の契機となった大当り図柄が「図柄０」、すなわち直撃確変大当りの場合にはサブ利得選択テーブル２０に基づき、また、大当り図柄が「図柄０」以外の「図柄１」乃至「図柄９」の場合にはサブ利得選択テーブル２２に基づいてサブ利得としての時短回数を選択する。
【０１７３】
主制御装置８０は、Ｓ１７８５において、第２ゲートＳＷ１９ａが遊技球を検知したか否か、を判定する。肯定判定であれば（Ｓ１７８５：ｙｅｓ）、Ｓ１７９０に処理を移行し、否定判定であれば（Ｓ１７８５：ｎｏ）、本処理を終了する。
【０１７４】
主制御装置８０は、Ｓ１７９０において、メイン利得決定用乱数を抽出する処理を実行し、Ｓ１７９５に処理を移行する。
メイン利得決定用乱数は、第２ゲートＳＷ１９ａの検知信号発生に基づいて抽出されると共に、利得選択フラグが０である当該条件においてメイン利得であるラウンド数を、４ラウンドと１６ラウンドの何れとするかを抽選するための乱数である。
【０１７５】
主制御装置８０は、Ｓ１７９５において、ラウンド数選択テーブル０１（図１９（ｃ）、図２０（ｂ）参照）に基づいて大当り遊技状態におけるラウンド数を選択する処理を実行し、Ｓ１８００に処理を移行する。
【０１７６】
主制御装置８０は、Ｓ１８００において、サブ利得選択テーブル２０又は２２（図１９（ｃ）、図２０（ｅ）、（ｇ）参照）に基づいて大当り遊技状態終了後の時短回数を選択する処理を実行し、Ｓ１８４０に処理を移行する。
すなわち、今回の条件装置作動の契機となった大当り図柄が「図柄０」、すなわち直撃確変大当りの場合にはサブ利得選択テーブル２０に基づき、また、大当り図柄が「図柄０」以外の「図柄１」乃至「図柄９」の場合にはサブ利得選択テーブル２２に基づいてサブ利得としての時短回数を選択する。
【０１７７】
図２４を参照して、主制御装置８０は、Ｓ１７６５にて否定判定（Ｓ１７６５：ｎｏ）、すなわち利得選択フラグが０では無く１で振分装置１６における遊技球の帰趨によって獲得利得の利得態様をラウンド数ではなく時短回数とする場合、Ｓ１８０５において、第１ゲートＳＷ１８ａが遊技球を検知したか否か、を判定する。肯定判定であれば（Ｓ１８０５：ｙｅｓ）、Ｓ１８１０に処理を移行し、否定判定であれば（Ｓ１８０５：ｎｏ）、Ｓ１８２０に処理を移行する。
【０１７８】
主制御装置８０は、Ｓ１８１０において、時短回数選択テーブル１０（図１９（ｄ）、図２０（ｃ）参照）に基づいて大当り遊技状態終了後における時短回数を選択する処理を実行し、Ｓ１８１５に処理を移行する。
【０１７９】
主制御装置８０は、Ｓ１８１５において、サブ利得選択テーブル２１又は２３（図１９（ｄ）、図２０（ｆ）、（ｈ）参照）に基づいて大当り遊技状態におけるラウンド数を選択する処理を実行し、Ｓ１８４０に処理を移行する。
すなわち、今回の条件装置作動の契機となった大当り図柄が「図柄０」、すなわち直撃確変大当りの場合にはサブ利得選択テーブル２１に基づき、また、大当り図柄が「図柄０」以外の「図柄１」乃至「図柄９」の場合にはサブ利得選択テーブル２３に基づいてサブ利得としてのラウンド数を選択する。
【０１８０】
主制御装置８０は、Ｓ１８２０において、第２ゲートＳＷ１９ａが遊技球を検知したか否か、を判定する。肯定判定であれば（Ｓ１８２０：ｙｅｓ）、Ｓ１８２５に処理を移行し、否定判定であれば（Ｓ１８２０：ｎｏ）、本処理を終了する。
【０１８１】
主制御装置８０は、Ｓ１８２５において、メイン利得決定用乱数を抽出する処理を実行し、Ｓ１８３０に処理を移行する。
メイン利得決定用乱数は、第２ゲートＳＷ１９ａの検知信号発生に基づいて抽出されると共に、利得選択フラグが１である当該条件においてメイン利得である時短回数を、１０回と１００回の何れとするかを抽選するための乱数である。
【０１８２】
主制御装置８０は、Ｓ１８３０において、時短回数選択テーブル１１（図１９（ｄ）、図２０（ｄ）参照）に基づいて大当り遊技状態終了後における時短回数を選択する処理を実行し、Ｓ１８３５に処理を移行する。
【０１８３】
主制御装置８０は、Ｓ１８３５において、サブ利得選択テーブル２１又は２３（図１９（ｄ）、図２０（ｆ）、（ｈ）参照）に基づいて大当り遊技状態におけるラウンド数を選択する処理を実行し、Ｓ１８４０に処理を移行する。
すなわち、今回の条件装置作動の契機となった大当り図柄が「図柄０」、すなわち直撃確変大当りの場合にはサブ利得選択テーブル２１に基づき、また、大当り図柄が「図柄０」以外の「図柄１」乃至「図柄９」の場合にはサブ利得選択テーブル２３に基づいてサブ利得としてのラウンド数を選択する。
【０１８４】
図２３に戻って、主制御装置８０は、Ｓ１８４０において、ラウンド数及び時短回数を設定する処理を実行し、Ｓ１８４５に処理を移行する。すなわち、上述したＳ１７７５、Ｓ１７８０、Ｓ１７９５、Ｓ１８００、Ｓ１８１０、Ｓ１８１５、Ｓ１８３０、或いはＳ１８３５において選択したラウンド数或いは時短回数を所定の記憶バッファに記憶設定する。
【０１８５】
主制御装置８０は、Ｓ１８４５において、役物連続作動装置の作動を開始する処理を実行し、Ｓ１８５０に処理を移行する。
Ｓ１８４５は、第１ゲート１８或いは第２ゲート１９を遊技球が通過したときに、役物連続作動装置の作動を開始する、本発明の役物連続作動手段である。
【０１８６】
主制御装置８０は、Ｓ１８５０において、Ｓ１７２５で１に設定した利得種別変更フラグに０を設定して、本処理を終了し、特別遊技処理に移行する。
【０１８７】
続いて、図２５を参照して、本実施例の大当り決定処理２実行時における演出表示態様について説明する。図２５は、本実施例のサブ統合制御装置８３が、大当り決定処理時に演出図柄表示装置６において実行する画像表示の表示態様図である。なお、当該図では、本実施例の特徴であるところの、所定時間経過によって獲得利得の利得態様がラウンド数に固定された場合の表示態様について示した。
第１実施例と同様に、特別図柄の変動表示が、大当りを示唆する何れかの大当り図柄で確定表示されるのに伴って、演出図柄表示装置６では前記大当り図柄に対応して装飾図柄が確定表示される。図２５（ａ）では、装飾図柄「３３３」が確定表示されると共に「確変大当り！！」の報知表示が為される。当該状態は、大当り図柄として「図柄１」又は「図柄２」（図１９（ｂ）参照）が選択されて確定表示された状態を示している。なお、このときＳ４３５において条件装置の作動が開始されており、大当り遊技状態の開始条件は、役物連続作動装置の作動開始を待って成立する状態である。
【０１８８】
当該条件装置の作動以前において、Ｓ１７００にて肯定判定すなわち所定時間が経過したと判定された場合の表示態様例を、図２５（ｂ）に示す。
本実施例では、利得種別固定フラグに１が設定されると、利得種別変更期間が開始されず、且つ利得種別固定報知が行われる。図示したように、「選択不能」と表示することで利得種別変更期間が開始されない旨、また、「閉店が近づいているのでラウンド数に固定します」の表示により獲得利得の利得態様をラウンド数に固定する旨を報知している。加えて、ラウンド数指定ボタン４１を点滅表示することで獲得利得の利得態様をラウンド数に固定したことを明示する。
このようにして、獲得利得の利得態様をラウンド数に固定され、Ｓ１７５５にて振分開始時間に到達したと判定されると、「ラウンド数決定ゲーム」が開始される。図２５（ｃ）及び（ｄ）は、ラウンド数決定ゲーム中の表示態様例であり、図２５（ｅ）はラウンド数決定ゲーム終了後の表示態様例である。
【０１８９】
振分開始時間に到達すると、Ｓ１７６０にて振分装置制御処理が実行され、振分部材１７が各々一定間隔で右振分態様、及び左振分態様に変化する。当該状態では、図２５（ｃ）に示すように、獲得利得の利得態様がラウンド数に固定されているため、「ラウンド数決定ゲーム中」であることが報知される。また、獲得利得の利得態様（ラウンド数）を任意に選択可能とするために、第１ゲート１８への振分ルートを明示した振分装置１６の図を表示している。併せて、第１ゲート１８を遊技球が通過した場合に獲得できるラウンド数が１０ラウンドである旨を「今なら１０ＲＧＥＴで安心」というコメント表示により報知している。これにより、現時点が如何なる振分態様であるかを遊技者が一目瞭然に判断可能としている。本実施例では、当該左振分態様に制御される期間に振分部材１６に入球させれば、遊技球を第１ゲート１８に通過させることが出来、１６ラウンドほど多くはないが、４ラウンドほど少なくもない、中庸な程度の１０ラウンドを確実に獲得可能となっている。
【０１９０】
上述した図２５（ｃ）の左振分態様が例えば５ｓｅｃ維持された後、右振分態様に切換わると、図２５（ｄ）の表示態様となる。図２５（ｃ）と同様に、現時点が如何なる振分態様であるかを遊技者が一目瞭然に判断可能とするために、「ラウンド数決定ゲーム中」であることが報知され、第２ゲート１９への振分ルートを明示した振分装置１６の図を表示している。併せて、第２ゲート１９を遊技球が通過した場合に獲得できるラウンド数が、抽選により４ラウンド或いは１６ラウンドとなる旨を「今なら４Ｒｏｒ１６の勝負！！」というコメント表示により報知している。本実施例では、当該右振分態様に制御される期間に振分部材１６に入球させれば、遊技球を第２ゲート１９に通過させることが出来る。この場合、第２ゲート１９を遊技球が通過したときに抽出する（Ｓ１７９０）メイン利得決定用乱数に基づいて、抽選（図２０（ｂ）参照）により１６ラウンド或いは４ラウンドの何れかのラウンド数が決定される。
【０１９１】
図２５（ｄ）に示すラウンド数決定ゲーム中に第２ゲート１９を遊技球が通過すると、上述した抽選によってラウンド数が決定され（Ｓ１７９５）、併せて時短回数が決定されると（Ｓ１８００）、例えば図２５（ｅ）に示すような表示が実行される。
この場合は、抽選によりラウンド数が１６ラウンドに決定され、時短回数は１００回となった旨の報知が行われると共に役物連続作動装置が作動して大当り遊技状態が開始する旨の「大当たりスタート」の表示も行われる。
【０１９２】
このように本実施例では、所定時間が経過した以後に条件装置が作動した、すなわち閉店間際に大当り図柄が確定表示された場合、獲得利得の利得態様をラウンド数に固定することで、残り時間の少ない状況において、今から実行される大当たり遊技状態の利得態様（ラウンド数）を選択させるようにする。これにより、獲得利得の利得態様として、ラウンド数及び時短回数を備えつつも、遊技者の不利益となる可能性のある条件下においては、遊技者の嗜好よりも利益を優先した処理を実行可能とすることが出来る。
【０１９３】
以上、本発明に係る実施例を説明してきたが、本発明の技術思想から逸脱しない限り、これに限定することはない。
例えば、上述した実施例では、遊技球の通過に基づいて決定される獲得利得の利得態様に係る選択率が各々異なる第１所定領域と第２所定領域を備えた振分装置を設けて、何れの所定領域を遊技球が通過したかに基づいて獲得利得の利得態様が決定される構成を例示した。すなわち、獲得利得の種別が例えば大当り遊技状態に設定されているとき、第１ゲート１８を遊技球が通過すれば利得態様が１０ラウンドに、また、第２ゲート１９を遊技球が通過すれば利得態様が４ラウンド或いは１６ラウンドの何れかに抽選されて決定され、要するに振分装置６の振分結果に起因するものを例示した。しかし、これの他の構成として、遊技者が操作可能な操作ボタン等の選択操作手段を備えて、該選択操作手段の操作結果に基づいて、利得態様を１０ラウンドとするか、又は、抽選に因って４ラウンド或いは１６ラウンドの何れかとするか、を選択可能な構成としても良い。これにより、狭隘な遊技領域を振分装置の設置領域として充当する必要や、振分制御等の制御負担もなくなる。また、遊技者の選択意思の反映が確実に行える。
【０１９４】
なお、上述した実施例における振分手段としての振分部材１７は、主制御装置８０が実行する振分装置制御処理により、遊技者の意思の及ばない状態で、駆動制御される構成を例示した。しかし、これに限らず、例えば遊技者が操作することで、振分部材を任意の振分態様とすることが可能な振分態様操作手段（ボタン）を備えて、該操作結果に基づいて振分部材１７を駆動制御するものでも良い。このように構成することによって、遊技者は振分部材の振分態様が任意の状態となるのを待たずに、自由なタイミングで任意の振分態様に設定することが出来、一層、遊技者の意思を介入させるに資する。
【０１９５】
［特許請求の範囲との対応］
第１始動口１１及び第２始動口１２は、始動口に相当する。
【０１９６】
主制御装置８０は、主制御手段に相当する。
【０１９７】
Ｓ２７５及びＳ２８０は、当否判定手段に相当する。
【０１９８】
Ｓ４３５は、条件装置作動手段に相当する。
【０１９９】
特別遊技処理が、大当り遊技制御手段に相当する。
【０２００】
Ｓ３０５、Ｓ３１０、Ｓ４６５、Ｓ４７０、Ｓ４７５、Ｓ６３０、Ｓ６３５、及びＳ６４０が、有利遊技状態制御手段に相当する。
【０２０１】
Ｓ８４５、及びＳ１８４５は、役物連続作動手段に相当する。
【０２０２】
Ｓ７４５、Ｓ７５０、及びＳ７６５は、利得種別変更手段に相当する。
【０２０３】
大当り遊技状態或いは時短遊技状態が、獲得利得に相当する。
【０２０４】
振分部材１７が、振分手段に相当する。
【０２０５】
第１ゲート１８が第１所定領域に、第２ゲート１９が第２所定領域に相当する。
【０２０６】
ラウンド数指定ボタン４１及び時短回数指定ボタン４３が、操作手段に相当する。
【符号の説明】
【０２０７】
６：演出図柄表示装置
１６：振分装置
１７：振分部材
１８：第１ゲート
１９：第２ゲート
４１：ラウンド数指定ボタン
４３：時短回数指定ボタン
８０：主制御装置
８３：サブ統合制御装置
【図１】
2014147605.tif 000003
【図２】
2014147605.tif 000004
【図３】
2014147605.tif 000005
【図４】
2014147605.tif 000006
【図５】
2014147605.tif 000007
【図６】
2014147605.tif 000008
【図７】
2014147605.tif 000009
【図８】
2014147605.tif 000010
【図９】
2014147605.tif 000011
【図１０】
2014147605.tif 000012
【図１１】
2014147605.tif 000013
【図１２】
2014147605.tif 000014
【図１３】
2014147605.tif 000015
【図１４】
2014147605.tif 000016
【図１５】
2014147605.tif 000017
【図１６】
2014147605.tif 000018
【図１７】
2014147605.tif 000019
【図１８】
2014147605.tif 000020
【図１９】
2014147605.tif 000021
【図２０】
2014147605.tif 000022
【図２１】
2014147605.tif 000023
【図２２】
2014147605.tif 000024
【図２３】
2014147605.tif 000025
【図２４】
2014147605.tif 000026
【図２５】
2014147605.tif 000027